(57)【要約】無線ローカル・ループ・サービスを提供する通信システムは、１又はそれ以上の顧客宅内遠隔装置（ＣＰＲＵ）と通信を行うインテリジェント基地局を含み、その各々は非無線装置に接続する。各ＣＰＲＵはインテリジェント基地局とオーバジエア通信を行う無線送受信機を有する。基地局制御機の補助なしに、インテリジェント基地局はＧＳＭ　Ａ−インターフェイス又は特別のその派生装置を介して移動交換センタ（ＭＳＣ）へ接続し、それにより公衆交換電話網（ＰＳＴＮ）へ接続する。インテリジェント基地局はＧＳＭ機能の一部を用い、ＣＰＲＵは様々な進歩した電話機能を利用することができる。トランスコーダ及び速度アダプタ装置はインテリジェント基地局と移動交換センタとの間に加えられる。インテリジェント基地局は移動利用者及び固定無線ローカル・ループの顧客の双方と通信を行うことができ、時分割多重接続（ＴＤＭＡ）を用いて複数の利用者と通信を行う。インテリジェント基地局はスペクトラム拡散の符号化を用いてメッセージの送信及び受信を行う。もし移動性がシステム内で提供される場合、端末群内のインテリジェント基地局は物理的なリンクを介して接続され、その結果、ハンドオーバの間、移動利用者からの呼をサポートする信号化及びベアラ・チャネルが１つのインテリジェント基地局から他のインテリジェント基地局へ通過する。
2004503953.tif 000002
【特許請求の範囲】
【請求項１】
通信システムにおいて、
第１送信機および第１受信機を含む基地局と、
第２送信機および第２受信機を含む無線装置であって、それらによって前記無線装置は前記基地局と無線通信チャネルを介して通信する、無線装置と、
前記無線装置に接続された非無線装置であって、前記非無線装置は前記無線装置を用いて前記基地局と情報を交換する、非無線装置と、
移動交換センタであって、前記基地局は前記移動交換センタにインターフェイスを介して接続される、移動交換センタと、
から構成されることを特徴とする通信システム。
【請求項２】
前記インテリジェント基地局と前記移動交換センタとの間に介在するトランスコーディングおよび速度アダプタ装置をさらに含むことを特徴とする請求項１記載の通信システム。
【請求項３】
前記非無線装置および前記無線装置は、ＲＪ−１１インターフェイスを介して通信を行うことを特徴とする請求項１記載の通信システム。
【請求項４】
前記無線装置は、ＲＪ−１１インターフェイスおよびデータ・インターフェイスを含み、前記データ・インターフェイスはデジタル・データを送信しおよび受信することを特徴とする請求項１記載の通信システム。
【請求項５】
前記第１送信機および前記第２送信機は各々スペクトラム拡散送信機を含み、前記第１受信機および前記第２受信機は各々スペクトラム拡散送信機を含むことを特徴とする請求項１記載の通信システム。
【請求項６】
前記基地局は、複数の時間スロットからなる繰り返し時間フレームを生成し、ここに前記無線通信チャネルは少なくとも前記時間スロットによって定義されることを特徴とする請求項５記載の通信システム。
【請求項７】
前記基地局および前記移動交換センタに接続する前記インターフェイスは、ＧＳＭ　Ａ−インターフェイスを含むことを特徴とする請求項１記載の通信システム。
【請求項８】
前記基地局は、非ＧＳＭオーバジエア・プロトコルを用いて、前記無線装置と前記無線通信チャネルを介して通信を行うことを特徴とする請求項７記載の通信システム。
【請求項９】
前記移動交換センタおよび前記無線装置は、ＧＳＭ接続管理に対しピアツーピア終端であり、ここに前記移動交換センタは前記基地局と少なくともＧＳＭ信号化接続制御部（ＳＣＣＰ）を含むＧＳＭ信号化インターフェイスを介して通信を行うことを特徴とする請求項１記載の通信システム。
【請求項１０】
前記移動交換センタと前記基地局との間の前記ＧＳＭ信号化インターフェイスは、ＧＳＭ基地局サブシステム移動適応部（ＢＳＳＭＡＰ）およびＧＳＭ移動転送部（ＭＴＰ）をさらに含むことを特徴とする請求項９記載の通信システム。
【請求項１１】
第２基地局をさらに含み、前記第２基地局は前記移動交換センタに第２インターフェイスを介して接続されることを特徴とする請求項１記載の通信システム。
【請求項１２】
前記第１基地局または前記第２基地局と第２無線通信チャネルを介して通信を行う少なくとも１つの移動利用者局をさらに含み、ここに
前記第１基地局および前記第２基地局は、物理的なリンクを介して接続され、
前記第１基地局および前記移動交換センタを接続する前記インターフェイスは、前記少なくとも１つの移動利用者局からの呼をサポートするために第１信号化チャネルおよび第１ベアラ・チャネルを含み、
前記第１基地局は、前記第１基地局および前記第２基地局を接続する前記物理的なリンクを介して、前記第１基地局と前記第２基地局との間の第２信号化チャネルおよび第２ベアラ・チャネルを確立し、前記第１基地局から前記第２基地局への前記呼のハンドオーバ時に、前記少なくとも１つの移動局と前記第２基地局との間に確立された第３無線通信チャネルをサポートする、
ことを特徴とする請求項１１記載の通信システム。
【請求項１３】
前記第１基地局または前記第２基地局と第２無線通信チャネルを介して通信を行う少なくとも１つの移動利用者局をさらに含み、ここに
前記第１基地局および前記第２基地局を接続する前記インターフェイスは、前記少なくとも１つの移動利用者局からの呼をサポートするために第１信号化チャネルおよび第１ベアラ・チャネルを含み、
第２信号化チャネルおよび第２ベアラ・チャネルが前記第２基地局と前記移動交換センタとの間に確立され、前記第１基地局から前記第２基地局への前記呼のハンドオーバ時に、前記少なくとも１つの移動局と前記第２基地局との間に確立された第３無線通信チャネルをサポートし、前記第１信号化チャネルおよび前記第１ベアラ・チャネルは前記第２基地局へ前記呼を転送した後に切断される、
ことを特徴とする請求項１１記載の通信システム。
【請求項１４】
前記非無線装置は、電話を含むことを特徴とする請求項１記載の通信システム。
【請求項１５】
ローカル・ループ内で無線通信を行う方法において、
複数の無線装置と基地局との間で複数の無線通信チャネルを確立し、その後前記無線装置と前記基地局との間で通信を行う段階と、
複数の非無線装置を前記無線装置に接続する段階であって、少なくとも１つの非無線装置は各無線装置に接続されている、段階と、
前記非無線装置と前記基地局との間で、その対応する無線装置を用いて中継として、情報を交換する段階と、
前記基地局をＧＳＭ移動交換センタへ接続する段階と、
から構成されることを特徴とする方法。
【請求項１６】
前記基地局を前記ＧＳＭ移動交換センタへ接続する前記段階は、前記基地局をトランスコーディングおよび速度アダプタ装置へ接続し、前記トランスコーディングおよび速度アダプタ装置を前記ＧＳＭ移動交換センタへ接続する段階を含むことを特徴とする請求項１５記載の方法。
【請求項１７】
前記複数の非無線装置を前記無線装置に接続する前記段階は、ＲＪ−１１インターフェイスを介して前記少なくとも１つの非無線装置を無線装置に接続する段階を含むことを特徴とする請求項１５記載の方法。
【請求項１８】
前記基地局と前記無線装置の各々との間での送信のために、スペクトラム拡散符号化データによって前記基地局と前記無線装置との間で通信し、スペクトラム拡散は前記基地局または前記無線装置で受信したとき前記データを復号化する、段階をさらに含むことを特徴とする請求項１５記載の方法。
【請求項１９】
前記基地局で、複数の時間スロットからなる繰り返し時間フレームを生成する段階をさらに含み、前記無線通信チャネルは少なくとも１つの前記時間スロットによって定義されることを特徴とする請求項１８記載の方法。
【請求項２０】
前記基地局を前記ＧＳＭ移動交換センタに接続する前記段階は、前記基地局を前記ＧＳＭ移動交換センタにＧＳＭ　Ａ−インターフェイスを介して接続する段階を含むことを特徴とする請求項１５記載の方法。
【請求項２１】
前記移動交換センタおよび前記無線装置は、ＧＳＭ接続管理に対しピアツーピア終端であり、ここに前記基地局をＧＳＭ移動交換センタに接続する前記段階は前記移動交換センタと前記基地局との間少なくともＧＳＭ信号化接続制御部（ＳＣＣＰ）を含むＧＳＭ信号化インターフェイスを介して通信を行う段階を含むことを特徴とする請求項１５記載の通信システム。
【請求項２２】
ＧＳＭ信号化インターフェイスは、ＧＳＭ基地局サブシステム移動適応部（ＢＳＳＭＡＰ）およびＧＳＭ移動転送部（ＭＴＰ）を含み、前記無線装置と前記基地局との間で通信する前記段階は前記基地局と非ＧＳＭオーバジエア・プロトコルを用いる各無線装置との間で通信する段階を含むことを特徴とする請求項２１記載の方法。
【請求項２３】
移動利用者局と前記基地局との間の呼を第１無線通信チャネルを介して確立する段階であって、前記基地局は前記移動局が他の基地局へハンドオーバされるときアンカー基地局を含む、段階と、
前記呼をサポートするために、前記基地局と前記移動交換センタとの間で第１信号化チャネルおよび第１ベアラ・チャネルを確立する段階と、
前記呼を目標基地局へハンドオーバする目的のために、前記移動利用者局と前記目標基地局との間の第２無線通信チャネルを確立する段階と、
前記アンカー基地局と前記目標基地局との間の第２信号化チャネルと第２ベアラ・チャネルを確立し、前記第２無線通信チャネルをサポートする段階と、
前記アンカー基地局と前記移動局との間の前記第１無線通信チャネルを介する通信を終了する段階と、
をさらに含むことを特徴とする請求項１５記載の方法。
【請求項２４】
移動利用者局と前記基地局との間の第１無線通信チャネルを介する呼を確立する段階と、
前記呼をサポートするために、前記基地局と前記移動交換センタとの間で第１信号化チャネルおよび第１ベアラ・チャネルを確立する段階と、
前記呼を目標基地局へハンドオーバする目的のために、前記移動利用者局と前記目標基地局との間の第２無線通信チャネルを確立する段階と、
前記目標基地局と前記移動交換センタとの間の第２信号化チャネルと第２ベアラ・チャネルを確立し、前記第２無線通信チャネルをサポートする段階と、
前記第１信号化および前記第１ベアラ・チャネルから前記第２信号化チャネルおよび第２ベアラ・チャネルへの前記呼のためのサポートを転送する段階と、
前記第１無線通信チャネルを介する前記移動局との通信を終了する段階と、
をさらに含むことを特徴とする請求項１５記載の方法。
【請求項２５】
通信システムであって、
基地局送信機および基地局受信機を含み、複数の無線通信チャネルを用いて通信することのできる基地局と、
複数の無線装置であって、前記無線装置の各々はローカル送信機およびローカル受信機を含み、それらによって前記無線装置は前記基地局と前記無線通信チャネルの１つを介して通信する、複数の無線装置と、
複数の非無線装置であって、前記非無線装置の各々は前記無線装置の１つに接続され、前記非無線装置の各々は前記基地局とその対応する接続されるべき無線装置を用いて情報を交換する、複数の非無線装置と、
前記基地局にインターフェイスを介して接続される移動交換センタと、
から構成されることを特徴とする通信システム。
【請求項２６】
前記インテリジェント基地局と前記移動交換センタとの間に介在するトランスコーディングおよび速度アダプタ装置をさらに含むことを特徴とする請求項２５記載の通信システム。
【請求項２７】
少なくとも前記非無線装置の１つおよび前記無線装置の１つは、ＲＪ−１１インターフェイスを介して通信を行うことを特徴とする請求項２５記載の通信システム。
【請求項２８】
前記基地局送信機および前記無線装置の前記ローカル送信機の各々は、各々スペクトラム拡散送信機を含み、前記基地局受信機および前記無線装置の前記ローカル受信機の各々は、各々スペクトラム拡散受信機を含むことを特徴とする請求項２５記載の通信システム。
【請求項２９】
前記基地局は複数の時間スロットからなる繰り返し時間フレームを生成し、ここに前記無線通信チャネルは１つまたはそれ以上の前記時間スロットによって定義されることを特徴とする請求項２８記載の通信システム。
【請求項３０】
前記基地局および前記移動交換センタに接続する前記インターフェイスは、ＧＳＭ　Ａ−インターフェイスを含むことを特徴とする請求項２５記載の通信システム。
【請求項３１】
前記基地局は、非ＧＳＭオーバジエア・プロトコルを用いて、前記無線装置と前記無線通信チャネルを介して通信を行うことを特徴とする請求項３０記載の通信システム。
【請求項３２】
前記移動交換センタおよび前記無線装置は、ＧＳＭ接続管理に対しピアツーピア終端であり、ここに前記移動交換センタは前記基地局と少なくともＧＳＭ信号化接続制御部（ＳＣＣＰ）を含むＧＳＭ信号化インターフェイスを介して通信を行うことを特徴とする請求項３１記載の通信システム。
【請求項３３】
前記移動交換センタと前記基地局との間の前記ＧＳＭ信号化インターフェイスは、ＧＳＭ基地局サブシステム移動適応部（ＢＳＳＭＡＰ）およびＧＳＭ移動転送部（ＭＴＰ）をさらに含むことを特徴とする請求項３２記載の通信システム。
【請求項３４】
１またはそれ以上の前記非無線装置は、電話を含むことを特徴とする請求項２５記載の通信システム。
【請求項３５】
第２基地局をさらに含み、前記第２基地局は前記移動交換センタに第２インターフェイスを介して接続されることを特徴とする請求項２５記載の通信システム。
【請求項３６】
前記第１基地局と前記無線通信チャネルの１つを介して通信を行うことのできる少なくとも１つの移動利用者局をさらに含み、ここに
前記第１基地局および前記第２基地局は、物理的なリンクを介して接続され、
前記第１基地局および前記移動交換センタを接続する前記インターフェイスは、前記少なくとも１つの移動利用者局からの呼をサポートするために第１信号化チャネルおよび第１ベアラ・チャネルを含み、
前記第１基地局は、前記第１基地局および前記第２基地局を接続する前記物理的なリンクを介して、前記第１基地局と前記第２基地局との間の第２信号化チャネルおよび第２ベアラ・チャネルを確立し、前記第１基地局から前記第２基地局への前記呼のハンドオーバ時に、前記少なくとも１つの移動局と前記第２基地局との間に確立された新しい無線通信チャネルをサポートする、
ことを特徴とする請求項３５記載の通信システム。
【請求項３７】
前記第１基地局と前記無線通信チャネルの１つを介して通信を行うことのできる少なくとも１つの移動利用者局をさらに含み、ここに
前記第１基地局および前記移動交換センタを接続する前記インターフェイスは、前記少なくとも１つの移動利用者局からの呼をサポートするために第１信号化チャネルおよび第１ベアラ・チャネルを含み、
第２信号化チャネルおよび第２ベアラ・チャネルが前記第２基地局と前記移動交換センタとの間に確立され、前記第１基地局から前記第２基地局への前記呼のハンドオーバ時に、前記少なくとも１つの移動局と前記第２基地局との間に確立された新しい無線通信チャネルをサポートし、前記第１信号化チャネルおよび前記第１ベアラ・チャネルは前記第２基地局へ前記呼を転送した後に切断される、
ことを特徴とする請求項３５記載の通信システム。
【発明の詳細な説明】
【０００１】
【発明の属する技術分野】
本発明は、通信システムおよび方法に関し、さらに詳しくは、無線ローカル・ループ・システムおよび無線ローカル・ループ・システムで通信する方法に関する。
【０００２】
【従来の技術】
電話サービスは、電話ネットワークから交換局を経由してローカル目的地へ通ずる固定陸上線を介して、従来からビジネスおよび在宅の顧客へ提供されてきた。しかしながら、ある顧客（例として、遠隔地に居住する人々，地域的に環境の悪い地域，あるいは高い危険性を有するビルなど）に対して従来のケーブルによる方法を用いて電話サービスを提供するために要する費用は、極めて高価になる。多くのネットワーク事業者にとって、顧客に対するこのようなサービス条項は、費用に関係なくあまねくサービスを届けなければならないとする一定の基準の下で、しばしば「一般サービス義務（ｕｎｉｖｅｒｓａｌ ｓｅｒｖｉｃｅ ｏｂｌｉｇａｔｉｏｎ）」と称されて、選択性がなく多くの場合、この費用は避け難いものである。
【０００３】
加えて、従来の陸上線は、高価でありまた配備のための時間を必要とする。電話線およびケーブルが配備される間、将来の顧客へのサービスは遅延され、このような顧客にいらいらを生じさせる。結局、ある地域において、電話事業者は小さな顧客局にのみサービスを提供する電話線に、過大な額の費用を投資しなければならないことがある。さらに、電話ケーブル（例えば、銅線）の保守は高価であり、このようなケーブルはしばしば修理または取替えを必要とする故障を招き、顧客に非常な不便を掛けることになる。
【０００４】
いくつかの場合、既存の電話線を有する顧客は、拡大する需要に対応するために追加線に興味を示す。しかしながら、同じような費用および遅延が、これらの顧客に対し追加の電話線を提供する際に直面することになる。
【０００５】
また、陸上線を設定する際の遅延および費用は、新しい市場に素早くかつ費用効果的に参入しようとする電話事業者に不利益となるおそれがある。合衆国における最近の立法により、基本および付加的電話サービスを提供するための地域市場における競争が増大した。既存のローカル接続ネットワーク事業者に対し競争しかつ迂回するためにこれらの市場に素早く参入したい電話事業者は、もしサービスを提供するためにケーブルによる高価な地上ネットワークを配備することを余儀なくされると、不利な立場に立たされるおそれがある。
【０００６】
ある電話顧客は、サービスに接続するために陸上線のみを用いることを条件とするため、困難なまたは過度に高価となる特殊な必要性が生じる。特に、高い「チャーン（ｃｈｕｒｎ）（例えば、コール・ターンオーバ）を体験する顧客または一時的なサービス提供を要求する顧客には、既存の陸上線接続によって適切にサービスされなくてもよいかもしれない。同時に、単に一時的なサービス提供が求められる場合に、高価な陸上線を加えることは費用効果的でないかもしれない。このような特別な必要性を有する顧客の例として、大学や他の教育機関，病院，船舶，ショッピング・モール，大きな博覧会，建設現場，トレーラハウスの駐車場，およびこれに類するものがある。
【０００７】
さらに検討すると、１種類の電話サービスでは、本質的に異なった顧客の必要性を満足させるためには適切でないかもしれない。例えば、産業化されていないまたは発展途上の国々あるいは地域では、基本的な電話サービスのみを必要とするが、産業の発展した国または地域では、高品質音声，データ容量およびカスタム・コーリング・サービスを要求する。基本サービスから始めた顧客は、さらに進化した電話機能へアップ・グレードすることを必要とする可能性がある。
【０００８】
現在サービスされている市場および遠隔に位置しあるいはアクセスの困難な顧客の双方にタイムリーな形でサービスを提供できるように、迅速および／または適宜にかなった発展をとげ得る通信システムが必要となる。また、遠隔または郊外の顧客に対し、より簡単でかつより費用効果的なサービスを許容する通信システムへの必要性がある。基本的な利用者および比較的進歩した利用者双方の必要を考慮し、かつ高品質音声，データおよびカスタム・コーリング・オプションのような特徴へ上方移行できる電話サービスに対するさらなる必要性がある。加えて、高いチャーンあるいは一時的な提供を含む特別な必要性を有する顧客を選択する経済的な電話サービスを提供する通信システムに対する必要性がある。
【０００９】
【発明の概要】
本発明は、ある局面において、比較的迅速に展開できる無線ローカル・ループ・サービスを提供する通信システムを示し、進歩した電話機能である利便性を提案する。
【００１０】
一実施例では、顧客宅内遠隔装置（ｃｕｓｔｏｍｅｒ ｐｒｅｍｉｓｅｓ ｒｅｍｏｔｅ ｕｎｉｔ：ＣＰＲＵ）は、オーバジエア（ｏｖｅｒ−ｔｈｅ−ａｉｒ）通信用の無線送受信機を有し、顧客サイトまたはその近傍に物理的に位置する。ＣＰＲＵは、インテリジェント基地局（ｉｎｔｅｌｌｉｇｅｎｔ ｂａｓｅ ｓｔａｔｉｏｎ：ＩＢＳ）と無線で通信を行い、ＩＢＳは複数のＣＰＲＵおよび他の利用者のサポートを可能とするために多重接続通信をサポートすることができる。インテリジェント基地局は、基地局制御機の援助なしに、移動交換センタ（ｍｏｂｉｌｅ ｓｗｉｔｃｈｉｎｇ ｃｅｎｔｅｒ：ＭＳＣ）へ、好ましくはＧＳＭ　Ａ−インターフェイスまたはその代替を介して、直接に接続する。移動交換センタは公衆電話交換網（ｐｕｂｌｉｃ ｓｗｉｔｃｈｅｄ ｔｅｌｅｐｈｏｎｅ ｎｅｔｗｏｒｋ：ＰＳＴＮ）へアクセスすることができる。ＣＰＲＵへ接続された電話または他の装置は、それによってＣＰＲＵとインテリジェント基地局との間で、移動交換センタを経由して確立した接続を介してＰＳＴＮと通信することができる。インテリジェント基地局は、好ましくはＧＳＭ機能セットの一部を使用し、ＣＰＲＵが様々な進歩した電話機能を利用することを可能とし、そして最初に基本電話サービスから開始した利用者に上方移行の道筋を提案する。インテリジェント基地局は移動交換センタへ直接に接続することができるので、サービスされるべき地域に基地局制御機を接続しかつ構成する必要性がなく、より素早く展開を行うことができる。
【００１１】
他の実施例では、トランスコーダ（ｔｒａｎｓｃｏｄｅｒ）や速度アダプタ装置（ｒａｔｅ ａｄａｐｔｅｒ ｕｎｉｔ）がインテリジェント基地局と移動交換センタとの間に加えられる。この実施例では、トランスコーディング速度アダプタ装置およびＣＰＲＵは、暗号化のためのピアツーピア（ｐｅｅｒ−ｔｏ−ｐｅｅｒ）の端末となる。
【００１２】
別の局面において、ＧＳＭ移動交換センタに直接接続されたインテリジェント基地局は、移動利用者および固定無線ローカル・ループの顧客の双方と、多重接続通信用の柔軟かつ堅固なオーバジエア・プロトコル（ｏｖｅｒ−ｔｈｅ−ａｉｒ ｐｒｏｔｏｃｏｌ）を使用して、通信することができる。好ましい実施例では、インテリジェント基地局は、時間フレームを時間スロットに分割することによって、かつその時間スロットを個人利用者局に割り当てることによって、（移動ハンドセットまたは固定ＣＰＲＵのような）利用者局と通信することができ、それにより時分割多重接続通信を実行する。インテリジェント基地局は、好ましくはスペクトル拡散技術を用いて符号化されたメッセージを送信かつ受信し、それにより典型的な狭帯域技術と比較して比較的広い帯域を介してメッセージを送信しかつ受信する。一実施例において、インテリジェント基地局は第１周波数帯域を介して送信する一方、利用者局は第２周波数帯域を介して送信し、それにより周波数分割多重接続（ｆｒｅｑｕｅｎｃｙ ｄｉｖｉｓｉｏｎ ｍｕｌｔｉｐｌｅ ａｃｃｅｓｓ：ＦＤＭＡ）および／または周波数分割双方向（ｆｒｅｑｕｅｎｃｙ ｄｉｖｉｓｉｏｎ ｄｕｐｌｅｘ：ＦＤＤ）通信を実行することができる。
【００１３】
他の実施例において、無線ローカル・ループ・サブシステムおよび無線移動サブシステムが単一の通信システム内に共存する。無線ローカル・ループ・サブシステムは、１またはそれ以上のインテリジェント基地局を含む。インテリジェント基地局は、ＧＳＭ　Ａ−インターフェイスを介して移動交換センタ（ＭＳＣ）に接続される。このような実施例の特定のバージョンでは、端末群 （ｃｌｕｓｔｅｒ） 内のインテリジェント基地局は、物理的なリンクを介して接続され、端末群内の第１インテリジェント基地局と通信する移動局が端末群内の第２インテリジェント基地局へハンドオーバされると、呼をサポートする信号およびベアラ・チャネル（ｂｅａｒｅｒ ｃｈａｎｎｅｌｓ）は第１インテリジェント基地局（アンカー基地局になる）を通り、物理的なリンクを介して第２インテリジェント基地局（リレー（中継）基地局になる）へ通過する。その後、呼はアンカーおよびリレー基地局の双方を通って伝送される通信へ進む。
【００１４】
さらなる実施例は、本発明の修正、変更および強調とともにここに説明される。
【００１５】
【好適な実施例の詳細な説明】
図１は、本願発明の１つまたはそれ以上の局面にかかる無線ローカル・ループ・システム１００の一実施例を示す図である。図１に示されるように、無線ローカル・ループ・システム１００は、「インリジェント」基地局１０４を含み、それは１またはそれ以上の顧客宅内遠隔装置（ＣＰＲＵ）１０２と無線通信インターフェイス１０３を介して通信する。各ＣＰＲＵ１０２は、顧客（例えば、利用者）サイト１０６に物理的に位置することができる。ＣＰＲＵ１０２は、図１に示される顧客サイト１０６ａに関連する、例えばＣＰＲＵ１０２ａのように、顧客（利用者）サイト１０６の構造の内部に搭載されてもよく、あるいは図１に示される顧客サイト１０６ｂに関連する、例えばＣＰＲＵ１０２ｂのように、顧客サイト１０６の構造の外部に搭載されてもよい。電話または他の装置（例えば、ファックス装置，モデムおよびこれらに類するもの）は、標準ＲＪ１１および／または他のインターフェイス（例えば、直列または並列ポート）のようなデータ・インターフェイス１０９を介してＣＰＲＵ１０２へ接続される。
【００１６】
図１に示されるように、インリジェント基地局１０４は、交換サブシステム１１５（例えば、ＧＳＭ移動交換センタからなる）へ、例えば銅ケーブル，Ｔ１またはフラクショナルＴ１線からなる迂回中継（ｂａｃｋｈａｕｌ）接続１１４を介して接続される。インリジェント基地局１０４からの迂回中継接続は、トランスコーダおよび速度アダプタ装置１１２を通して任意に設けられる。インリジェント基地局１０４は、好ましくはＧＳＭ　「Ａ」インターフェイス１１９を介してトランスコーダおよび速度アダプタ装置１１２および／または交換サブシステム１１５と通信を行う。
【００１７】
各ＣＰＲＵ１０２は、好ましくは少なくとも１つのアンテナ１２１を有し、インリジェント基地局１０４と通信信号を送信し、また受信する。インリジェント基地局１０４は、好ましくはアンテナ・ダイバーシティを行うために複数のアンテナ１２２を有してもよく、それによって送信および／または受信信号の品質を向上させる。
【００１８】
図２は、個々に記述される無線通信システムの様々な実施例に用いることができる好適な顧客宅内遠隔装置（ＣＰＲＵ）２０１（例えば、図１のＣＰＲＵ１０２）の機能ブロック図である。図２に示されるように、ＣＰＲＵ２０１は、適応モジュール２０５および擬似ハンドセット・モジュール２１１からなる。適応モジュール２０５は、適応機能を提供する一方、擬似ハンドセット・モジュール２１１は、１組の「擬似ハンドセット」機能を提供する。適応モジュール２０５は、複数の他の機能的なサブモジュール、例えば固定電話適応２１２およびデータ適応サブモジュール２１４に分割される。同様に、擬似ハンドセット・モジュール２１１は、複数の他の機能的なサブモジュール、例えばボコーダ・サブシステム２２１，プロセッサ制御サブモジュール２２３および無線サブモジュール２２４に分割される。
【００１９】
ＣＰＲＵ２０１は、データ・インターフェイス２３２（例えば、ＲＳ２３２ポートのような直列データ・ポート、あるいは並列データ・ポート）と同様に、標準ＲＪ１１インターフェイス２３１をさらに含み、ＣＰＲＵ２０１と様々な終端装置２３４（以下、顧客宅内装置（ｃｕｓｔｏｍｅｒ ｐｒｅｍｉｓｅｓ ｕｎｉｔ：ＣＰＥ）という。）、例えば電話２３５，コンピュータ２３６（モデム）および／またはファクシミリ装置２３７との間での通信を許容する。
【００２０】
１つの局面として、ＣＰＲＵ２０１は、顧客の宅内に位置する固定電話装置および同種の装置へのインターフェイスを提供し、それにより無線でインリジェント基地局１０４との間で公衆交換電話網（ＰＳＴＮ）（図２に図示されていない）と通信することができる。擬似ハンドセット・モジュール２１１は、好ましくは移動ハンドセットのコアとなる機能を複製しているが、マン−マシン・インターフェイス（ＭＭＩ）機能の多くが除外されている。それにより、ＣＰＲＵ２０１は移動通信用に開発された無線通信機能を利用することができ、またインリジェント基地局１０４が、移動利用者および固定利用者の双方のためのものと本質的に同じオーバジエア・プロトコルを用いて、移動利用者（例えば、ハンドセット）および固定利用者の双方とＣＰＲＵ２０１を経由して通信することができる。
【００２１】
擬似ハンドセット・モジュール２１１の無線サブモジュール２２４は、インリジェント基地局１０４とのオーバジエア接続を管理する。プロセッサ制御サブモジュール２２３は、無線サブモジュール２２４に命令し、適応モジュール２０５へのインターフェイスを提供する。ボコーダ・モジュール２２１は、インリジェント基地局１０４から受信し、またインリジェント基地局１０４へ送信されるデータを処理し、それによりＣＰＥ２３４とＰＳＴＮとの間の音声通信をサポートする。
【００２２】
ＣＰＲＵ２０１は、好ましくは多重インターフェイス２３１，２３２の結果として、広範囲の装置と互換性を有する。ＣＰＲＵ２０１は、適当なインターフェイスを有する追加のプラグイン・モジュールを結合することにより多重ライン（ＲＪ１１型、または直列および／または並列データ・ラインのいずれか）をサポートするように構成されてもよい。音声送信および受信のほかに、ＣＰＲＵ２０１は、またデータ・インターフェイス２３２によって非音声データの送信および受信を可能とする。好適な実施例として、ＣＰＲＵ２０１は、ダイアル・トーン，ＤＴＭＦトーン，リング・トーン，ビジー・トーンおよびこれらに類似したトーンを局部的に発生する。ＣＰＲＵはまた、好ましくはＣＰＥ２３４からオフフック変化を検出し、そのオフフック変化に応答してネットワークに対し呼解除手続を開始する。呼が完了すると、ＣＰＲＵ２０１は、ＣＰＥ２３４によって開始された解除のための切断手順である陸上線トランスペアレント制御を提供する。この機能の一部として、ＣＰＲＵ２０１は、従来の有線システムによってサポートされている復旧ガード・タイミング（ｒｅｌｅａｓｅ ｇｕａｒｄ ｔｉｍｅｓ）を実行する。
【００２３】
ＣＰＲＵ２０１の適応モジュール２０５は、好ましくはＣＰＥ２３４（典型的には従来の電話）が擬似ハンドセット・モジュール２１１へインターフェイスするために必要な全ての機能を含む。電話の場合には、適応モジュール２０５の固定電話適応サブモジュール２１２は、好ましくは少なくともＲＪ１１インターフェイス２３１（例えば、ラインのインピーダンス整合）、ループ検出（オンフック／オフフック）、トーン発生、およびパルス検出をサポートする。従来のファクシミリ装置は、ＲＪ１１インターフェイス２３１を通して接続されてもよい。データの使用に対しては、適応モジュール２０５はＧＳＭを基本とするデータ処理に類似する機能からなってもよい。例えば、適応モジュール２０５のデータ適応サブシステム２１４は、「グループ３」ファクシミリ・データ、双方向メッセージ、非同期データ回線デュプレックス（例えば、３００−９６００ビット／秒）、同期データ回線デュプレックス（例えば、１２００−９６００ビット／秒）、および非同期ＰＡＤアクセス回線（例えば、３００−９６００ビット／秒）をサポートすることができる。ＩＳＤＮネットワーク、真のパケット・データ能力、データ圧縮、および広帯域データ用時間スロット集合のような進化した特徴が、また提供されてもよい。
【００２４】
上記機能に加えて、ＣＰＲＵはまた、呼がアクティブな間ＤＴＭＦデジットの信号化をサポートする。この機能の一部として、ＣＰＲＵ２０１は呼がアクティブな間ＣＰＥ２３４からＤＴＭＦトーンを検出し、そのデジットをＤＴＡＰ信号を経由してネットワークへ転送する。また呼の間、ＣＰＲＵ２０１は、ネットワークから受信した呼前進トーン（ｃａｌｌ ｐｒｏｇｒｅｓｓ ｔｏｎｅ）をＣＰＥ２３４へのベアラ経路（ｂｅａｒｅｒ ｐａｔｈ）を介してそのまま転送する。呼前進ＤＴＡＰ信号がネットワークから受信されるときはいつでも、ＣＰＲＵ２０１はその呼前進ＤＴＡＰ信号を呼前進トーンへＣＰＥ２３４に対し変換する。ＣＰＲＵ２０１は、無線ネットワークの込み具合または受話器外し信号のタイマー満了状態を示すために、必要なとき、ＣＰＥ２３４へ再命令トーンを発生する。
【００２５】
さらに、ＣＰＲＵ２０１はまた、好ましくはベアラ処理に関連した多くの機能を行う。例えば、好適な実施例では、ＣＰＲＵ２０１は、音声通信のためのボコード処理を達成する。これに関して、ボコーダ機能２２１は、ネットワークに対する音声の符号化／圧縮および逆方向（ＣＰＥ２３４へ）における音声の復号化／解凍を含む。ＣＰＲＵ２０１はまた、好ましくは順方向エラー訂正（ＦＥＣ）、ベアラ音声（ＣＰＲＵ２０１およびトランスコーダおよび速度アダプタ装置は暗号化のためのピアツーピア終端となる）のための暗号化および解読化、およびエコー消去機能を達成する。暗号化および解読化に関して、ＣＰＲＵ２０１は空中への伝送（無線通信インターフェイス１０３を介して）に先立ってベアラ・データを暗号化し、ネットワークからのベアラ・データを解読する。エコー消去機能はＣＰＲＵ２０１によってサポートされ、例えばもし２−４ワイヤ・ハイブリッド構造がＣＰＥ２３４とのインターフェイスに設けられているなら、無線ネットワークに対して潜在的に生成されたエコーを抑圧する。
【００２６】
好適な実施例では、無線システムと共同してＣＰＲＵ２０１は、呼登録，抹消，利用者認証，伝送情報の暗号化，およびネットワーク管理機能をサポートする。音声呼を送出する手段を提供することに加えて、ＣＰＲＵ２０１は、出緊急呼（例えば、「９１１」）およびアクティブ呼中のエンドツーエンドＤＴＭＦ信号化をサポートする。
【００２７】
無線ローカル・ループ・システムの好適な実施例に対するプロトコル構造（アーキテクチャ）が図４に示される。図４のプロトコル構造は、図１１および図１２に示されるプロトコル構造と比較することで最もよく理解され、それらはＧＳＭ移動交換センタ・インタフェースを有し、それぞれ全ＧＳＭ移動システムおよび他のタイプの移動システムと結合される。図１１および図１２において、移動局１１０２または１２０２は、「ＭＳ」として示され、基地局１１０４または１２０４は「ＢＳ」として示され、基地局制御機１１０９または１２０９は「ＢＳＣ」として示され、ＧＳＭ移動交換センタ１１１２または１２１２は「ＭＳＣ」として示される。図１１に示されるように、ＧＳＭ移動システムに対し、移動局１１０２および基地局１１０４はＧＳＭオーバジエア・インターフェイス１１０３を介して通信し、基地局１１０４および基地局制御機１１０９はＡ−ｂｉｓインターフェイス１１０５を介して通信し、基地局制御機１１０９および移動交換センタ１１１２はＧＳＭ　Ａ−インターフェイス１１１０を介して通信する。図１２において、移動局１２０２および基地局１２０４は非ＧＳＭオーバジエア・インターフェイス１２０３（例えば、米国特許５，６７１，２１９に説明されているオーバジエア・インターフェイス、そこに説明されているとおりに全て参考のためここに包含される）を介して通信し、基地局１２０４および基地局制御機１２０９は非ＧＳＭ信号インターフェイス１２０５を介して通信し、基地局制御機１２０９および移動交換センタ１２１２はＧＳＭ　Ａ−インターフェイス１２１０を介して通信する。
【００２８】
ＧＳＭ移動システムに対し、図１１に示されるように、接続管理（ｃｏｎｎｅｃｔｉｏｎ ｍａｎａｇｅｍｅｎｔ：ＣＭ）プロトコル、および移動管理（ｍｏｂｉｌｉｔｙ ｍａｎａｇｅｍｅｎｔ：ＭＭ）プロトコルは移動局１１０２と移動交換センタ１１１２との間で動作する。接続管理プロトコル層は一般的に、例えば呼管理，付加サービス管理，および短メッセージ・サービスを処理し、一方移動管理プロトコル層は一般的に、利用者の移動性向に関連した機能、例えば、位置更新，認証，およびそれらに類似するものを実行するために必要とされる信号化を処理する。基地局制御機１１０９中の直接転送アプリケーション部（ｄｉｒｅｃｔ ｔｒａｎｓｆｅｒ ａｐｐｌｉｃａｔｉｏｎ ｐａｒｔ：ＤＴＡＰ）入力（図１１には示されていない）は、ピアツーピア接続管理および移動管理用の中継機能として動作する。
【００２９】
図１１にさらに示されているように、無線資源管理（ｒａｄｉｏ ｒｅｓｏｕｒｃｅ：ＲＲ）プロトコルは、Ｄチャネル用のリンク接続プロトコル（ｌｉｎｋ ａｃｃｅｓｓ ｐｒｏｔｏｃｏｌ ｆｏｒ Ｄ−ｃｈａｎｎｅｌ：ＬＡＰＤｍ）および物理的な無線（ｐｈｙｓｉｃａｌ ｒａｄｉｏ：ＲＦ）接続が行うように、移動局１１０２と基地局１１０４との間で動作する。無線サブシステム管理（ｒａｄｉｏ ｓｕｂｓｙｓｔｅｍ ｍａｎａｇｅｍｅｎｔ：ＲＳＭ）機能は、Ｄチャネル用のリンク接続プロトコル（ＬＡＰＤ）および物理層（ｐｈｙｓｉｃａｌ ｌａｙｅｒ：ＰｈＬ）プロトコルが行うように、基地局１１０４と基地局制御機１１０９との間で動作する。基地局サブシステム管理適応部（ｂａｓｅ ｓｔａｔｉｏｎ ｓｕｂｓｙｓｔｅｍ ｍａｎａｇｅｍｅｎｔ ａｐｐｌｉｃａｔｉｏｎ ｐａｒｔ：ＢＳＳＭＡＰ）プロトコルは、信号化接続制御部（ｓｉｇｎａｌｉｎｇ ｃｏｎｎｅｃｔｉｏｎ ｃｏｎｔｒｏｌ ｐａｒｔ：ＳＣＣＰ）プロトコル，メッセージ転送部（ｍｅｓｓａｇｅ ｔｒａｎｓｆｅｒ ｐａｒｔ：ＭＴＰ）プロトコルおよび物理層プロトコルが行うように、基地局制御機１１０９と移動交換センタ１１１２との間で動作する。ＢＳＳＭＡＰプロトコル層は基地局制御機１１０９と移動交換センタ１１１２との間の信号化トラフィックを実行し、無線資源管理およびハンドオーバ機能、例えばページング，チャネル割当て，チャネル開放，暗号化およびハンドオーバを達成する。ＳＣＣＰおよびＭＴＰプロトコル層は共にＧＳＭ　Ａ−インターフェイス１１１０上のリンク層サービスをＤＴＡＰおよびＢＳＳＭＡＰエンティティへ提供する。ＭＴＰプロトコル層は、２つのサブ層、すなわち物理的な信号化リンクを介して基地局制御機１１０９と移動交換センタ１１１２との間の信頼性のある転送サービスを提供するＭＴＰ　Ｌａｙｅｒ２、およびリンク障害と同様にリンク活性および非活性機能を処理するＭＴＰ　Ｌａｙｅｒ３に分けられる。ＳＣＣＰは、ＢＳＳＭＡＰおよびＤＴＡＰエンティティのために、非接続サービス（ｃｏｎｎｅｃｔｉｏｎｌｅｓｓ ｓｅｒｖｉｃｅｓ）を提供するのに加えて、基地局制御機１１０９と移動交換センタ１１１２との間の論理信号化接続を確立しかつ管理する。
【００３０】
基地局制御機１１０９は、ＧＳＭ　Ａ−ｂｉｓインターフェイス１１０５（例えば、無線サブシステム管理（ＲＳＭ）プロトコル層およびＬＡＰＤプロトコル層）を介して結合されたプロトコル層とＧＳＭ　Ａ−インターフェイス１１１０（例えば、ＢＳＳＭＡＰプロトコル層およびＳＣＣＰ／ＭＴＰプロトコル層）を介して結合されたプロトコル層との間のインターワーキング（層間接続）（ｉｎｔｅｒｗｏｒｋｉｎｇ ｆｕｎｃｔｉｏｎ：ＩＷＦ）機能を含む。同様に、基地局１０４はまた、無線インターフェイス１１０３を介して結合されたプロトコル層とＧＳＭ　Ａ−ｂｉｓインターフェイス１１０５を介して結合された層との間のインターワーキング（ＩＷＦ）機能を含む。
【００３１】
図１２において、非ＧＳＭオーバジエア・プロトコルを用いるが、ＧＳＭ移動交換センタ１２１２とインターフェイスする別のフル移動システムのプロトコル構造が示される。図１１，１２中の同じプロトコルは同じ指定（物理的な通信プロトコルは、特に物理的な無線（ＲＦ）接続に対して、異なっているかもしれないと理解される。）を伝送する。従って、図１１および図１２の比較によって理解されるように、図１２におけるＧＳＭ　Ａ−インターフェイス１２１０を介する接続性は、移動管理（ＭＭ）プロトコル層が移動局１２０２上に所在しないが、むしろ基地局制御機１２０９中に収容されている場合を除き、図１１におけるＧＳＭ　Ａ−インターフェイス１１１０を介する接続性に非常に類似する。しかしながら、接続管理（ＣＭ）プロトコルは、移動交換センタ１２１２と移動局１２０２との間で動作を継続する。基地局制御機１１０９は、移動管理（ＭＭ）プロトコルとＢＳＳＭＡＰプロトコルとの間で図１２において「Ｎｏｔｅｓ」プロトコルと称される特別の信号化プロトコルに変換する。Ｎｏｔｅｓプロトコルは基地局制御機１２０９と基地局１２０４との間で動作する。図１２に示されたプロトコル構造において、Ｄチャネルに対する非ＧＳＭオーバジエア（ＯＴＡ）プロトコルおよび非ＧＳＭリンク・アクセス・プロトコル（ｌｉｎｋ ａｃｃｅｓｓ ｐｒｏｔｏｃｏｌ：ＬＡＰ）が基地局１２０４と移動局１２０２との間で動作する。利用者局，基地局および基地局制御機間で情報を伝送する特定のプロトコルおよび方法に関連するさらなる情報は、１９９５年９月２２日に出願された出願中の米国特許出願番号０８／５３２，４６６号公報にみられ、それは本願発明の譲受人に移転され、そこに説明されているとおりに全て参考のためここに包含される。
【００３２】
図４に戻り、プロトコル構造４０１が無線ローカル・ループ・システムの好適な実施例として描かれる。図４において、ＣＰＲＵ４０２，インテリジェント基地局（ＩＢＳ）４０４，およびＧＳＭ移動交換センタ（ＭＳＣ）４１５に関連するプロトコルが示される。図４に示されたプロトコル構造４０１に関連して説明される原則は、図１に示される無線ローカル・ループ・システム１００に対して使用されてもよい。１つの局面として、インテリジェント基地局４０４は、図１１，１２に示される基地局制御機１１０９および／または１２０９のプロトコルの機能性を内蔵しているとして考察でき、ＧＳＭの機能性（ＧＳＭの物理的接続性を必ずしも必要としない）を有する無線アクセスをＣＰＲＵ４０２に提供する。無線ローカル・ループ・システムの様々なプロトコル層の特定の機能性に関する更なる詳細が以下に述べられる。
【００３３】
図４に示される無線ローカル・ループ・システムのプロトコル構造において、接続管理（ＭＭ）プロトコルが、ＣＰＲＵ４０２と移動交換センタ４１５との間で動作する。例えば、一般的に接続管理プロトコル層は、呼制御，付加サービス管理および短メッセージ・サービスを処理する。インテリジェント基地局４０４中の直接転送アプリケーション部（ＤＴＡＰ）の入力（図４には明確に示されていない）は、後述のようにいくつかの例外はあるが、ピアツーピア接続管理のためのリレー機能として動作する。
【００３４】
移動管理プロトコル（ＭＭ）は、Ａ−インターフェイスを介してインテリジェント基地局４０４と移動交換センタ４１５との間で動作する。移動管理プロトコル層は利用者の移動性向（例えば、位置更新，認証，およびそれらに類似するもの）に関連する機能を実行するために必要とされる信号化を処理するため、またこれらの機能が広くＣＰＲＵ４０２に不必要であるため、移動管理プロトコルはＣＰＲＵ４０２（図１１に示されるように、ＧＳＭシステムと動作するが）には直接動作しない。図４に示される無線ローカル・ループ・システムの構造において、移動管理に等価の機能および無線資源管理（ＭＭ）機能は、オーバジエア（ＯＴＡ）プロトコルに併合される。ＯＴＡインターフェイス上での移動管理プロトコルと移動管理に等価な機能との間に必要なあらゆるインターワーキングは、インテリジェント基地局４０４のインターワーキング（ＩＷＦ）の存在によって成される。
【００３５】
基地局制御機なしで、ＢＳＳＭＡＰプロトコル層はインテリジェント基地局４０４上に存在し、かつインテリジェント基地局４０４と移動交換センタ４１５との間で動作する。ＢＳＳＭＡＰプロトコル層は、インテリジェント基地局４０４と移動交換センタ４１５との間で信号化トラフィックを実行し、無線資源管理およびハンドオーバ機能を有効にする。これらの機能には、例えば、ページング，チャネル割当，チャネル開放，暗号化およびハンドオーバを含む。インテリジェント基地局４０４のインターワーキング（ＩＷＦ）エンティティは、Ａ−インターフェイス上のＢＳＳＭＡＰプロトコル・メッセージ間の必要なあらゆる変換、およびＣＰＲＵ４０２への無線接続にわたる信号化トラフィックを達成する。
【００３６】
図１１，１２のプロトコル構造に示されるように、ＳＣＣＰおよびＭＴＰプロトコル層はともにＤＴＡＰおよびＢＳＳＭＡＰエンティティに対しＧＳＭ　Ａ−インターフェイス４１９上でリンク層サービスを提供する。ＭＴＰプロトコル層は、２つのサブ層、すなわち基地局制御機１１０９と移動交換センタ１１１２との間で物理的な信号化リンクを介して基地局制御機１１０９と移動交換センタ１１１２との間の信頼性のある転送サービスを提供するＭＴＰ　Ｌａｙｅｒ２、およびリンク障害と同様にリンク活性および非活性機能を処理するＭＴＰ　Ｌａｙｅｒ３に分けられる。ＳＣＣＰは、ＢＳＳＭＡＰおよびＤＴＡＰエンティティのために、非接続サービスを提供するのに加えて、基地局制御機１１０９と移動交換センタ１１１２との間の論理信号化接続を確立しかつ管理する。
【００３７】
図３は、無線ローカル・ループ・システムに対する好適なプロトコル構造のさらなる詳細をインテリジェント基地局４０４（図１のインテリジェント基地局１０４に同等に適用可能）上に特に焦点を当てて提供する。好適な実施例では、インテリジェント基地局４０４は、２つのプロセッサ３０２，３０３からなり、第１プロセッサ３０２はオーバジエア通信を処理し、第２プロセッサ３０３は迂回中継接続による通信を含む他の機能を処理する。インテリジェント基地局４０４の２つのプロセッサ３０２，３０３は、好ましくは、情報を交換するデュアルポート・メモリを共用する。
【００３８】
図３Ａは、インテリジェント基地局４０４（または１０４）の典型的なハードウェア・ブロック図である。図３Ａに示されるように、インテリジェント基地局３５１（例えば、図１の無線ローカル・ループ・システムのインテリジェント基地局１０４として使用されてもよい）は、１つまたはそれ以上のアンテナ３６０を有するオーバジエア（ＯＴＡ）送受信機３５５からなり、複数の移動または固定利用者局（図３Ａには示されていない）と通信する。ＯＴＡ送受信機３５５は、ＯＴＡプロセッサ３５２によって制御される。ＯＴＡプロセッサ３５２およびＯＴＡ送受信機３５５は、迂回中継インターフェイス３６５およびライン・プロセッサ３５３のような迂回中継要素（コンポーネント）を具備するデュアルポート・メモリ３５４（好ましくはＲＡＭ）を共用する。ＯＴＡ送受信機３５５は、デュアルポート・メモリ３５４内の受信バッファに利用者局から受信した情報を格納し、デュアルポート・メモリ３５４内の送信バッファから情報を取り出し、本システムによって使用されるオーバジエア・プロトコルに従って、利用者局に対し編集および送信を行う。ライン・プロセッサ３５３の制御の下で、迂回中継インターフェイス３６５はデュアルポート・メモリ３５４内の受信バッファから情報を取り出し、迂回中継接続３６６を介してその情報を編集し送信する。迂回中継インターフェイス３６５は、特定のシステム構造に依存するが、移動交換センタまたは基地局制御機（例えば、図７に示される）のような本システムの上流要素（コンポーネント）から迂回中継接続３６６を介して情報を受信する。迂回中継接続３６６は、Ｔ−１またはフラクショナルＴ−１ライン、また他の高速通信リンクを構成する。図３Ａはインテリジェント基地局３５１の特定のハードウェア構成を示すが、他の多くの変形が当業者には明確であろう。
【００３９】
既に述べたように、図３はインテリジェント基地局３５１の好適な実施例を利用するプロトコル構造３０１を描く。図３に示されるように、プロトコル構造３０１のボトム層は、オーバジエア・プロセッサ３０２と関連するデュアルポート・メモリ・プロトコル層３１４、およびライン・プロセッサ３０３と関連するデュアルポート・メモリ・プロトコル層３３０を含み、それにより情報が整然としてデュアルポート・メモリに格納されかつデュアルポート・メモリから読み出される。オーバジエア・プロセッサ３０２と関連する内部信号化プロトコル層３１２（「Ｎｏｔｅｓ」プロトコルと呼ばれる）およびライン・プロセッサ３０３と関連する対応する内部信号化プロトコル層３２２は、オーバジエア・プロセッサ３０２とライン・プロセッサ３０３との間の信号化情報の通信を許容する。オーバジエア・プロトコル層３１１および「ｌａｙｅｒ２」オーバジエア・プロトコル層３１３はプロトコル機能を管理し、その機能はオーバジエア・プロセッサ３０２が例えば１つまたはそれ以上のＣＰＲＵ１０２（図１に示されている）または４０２（図４に示されている）を含む様々な利用者局と無線で通信することを可能にする。
【００４０】
ライン・プロセッサ３０３に対して、基地局サブシステム管理適応部（ＢＳＳＭＡＰ）層３２５は、典型的なＧＳＭ交換サブシステム中で基地局制御機によって別のやり方で処理される信号化通信（例えば、制御トラフィック）を実行する。このように、ＢＳＳＭＡＰ層３２５は、インテリジェント基地局４０４（または１０４）と移動交換センタ４１５（または、図１に示される交換サブシステム１１５）との間で信号化を実行し、無線資源管理およびハンドオーバ機能を有効にする。これらの手順は、まとめると、ページング，チャネル割当て，チャネル開放，暗号化およびハンドオーバ，およびそれらに類するものを含む。ライン・プロセッサ３０３のインターワーキング・エンティティ３２０は、Ａ−インターフェイス４１９上のＢＳＳＭＡＰ手続と内部信号化プロトコル（例えば、Ｎｏｔｅｓ）層３２２に対する無線資源管理およびハンドオーバ手続との間での変換を達成する。
【００４１】
信号化接続制御部（ＳＣＣＰ）層３２７およびメッセージ転送部（ＭＴＰ）層３２８は、ともにＡ−インターフェイス４１９上のリンク層サービスをＤＴＡＰエンティティ３２３，３２４およびＢＳＳＭＡＰエンティティ３２５へ提供する。「ｌａｙｅｒ２」メッセージ転送エンティティ（ＭＴＰ）３２９および「ｌａｙｅｒ３」メッセージ転送エンティティ（ＭＴＰ）３３０は、ライン・プロセッサ３０３が迂回中継接続を介してベアラ・トラフィックを通信するのを可能にするプロトコル機能を管理する。「ｌａｙｅｒ２」 ＭＴＰ層３２９は、物理的な信号化リンクを介して基地局制御機（またはインテリジェント基地局４０４中のその等価な機能）と移動交換センタ４１５との間の信頼性のある転送サービスを提供する。「ｌａｙｅｒ３」 ＭＴＰ層３２８は、リンク障害と同様にリンク活性および非活性機能を処理する。ＳＣＣＰ層３２７は、ＢＳＳＭＡＰエンティティ３２５およびＤＴＡＰエンティティ３２３，３２４に対し、基地局制御機（またはインテリジェント基地局４０４中のその等価な機能）と移動交換センタ４１５との間の論理信号化接続を確立しかつ管理し、加えてそれらに接続サービスを提供する。
【００４２】
ＯＴＡプロセッサ３０２のオーバジエア（ＯＴＡ）プロトコル層３１１および「ｌａｙｅｒ２」ＯＴＡ層３１３は、利用者局（移動または固定のいずれか）とのオーバジエア通信に必要な機能をまとめて管理する。その物理層で、様々な異なるオーバジエア・プロトコルがインテリジェント基地局制御機４０４と共同して用いられてもよく、そのようなプロトコルの例は図９，１０に示されており後により詳細が述べられる。
【００４３】
信号化およびプロトコルの機能性に関する詳細が、図３，４を参照して、最初にＭＴＰ，ＳＣＣＰおよびＢＳＳＭＡＰ機能から説明される。インテリジェント基地局制御機４０４の「ｌａｙｅｒ２」ＭＴＰ層３２９は、信頼性があり、連続しかつフロー制御されたＡ−インターフェイスの信号化メッセージの転送に関連した機能および手続を信号化リンクを介して処理する。より高位レベルによって配布された信号化メッセージは信号化リンクを介して可変長「信号ユニット」で転送される。「ｌａｙｅｒ２」ＭＴＰ層３２９は、（フラグ制限を禁止するためのビット・スタッフを用いて）フラグによって信号ユニットの境界を定め、各信号ユニットに含まれるチェック・ビットによるエラー検出を実行する。各信号ユニット中の明示のシーケンス番号（ｅｘｐｌｉｃｉｔ ｓｅｑｕｅｎｃｅ ｎｕｍｂｅｒ）は、受信のための明示の確認（ａｃｋｎｏｗｌｅｄｇｅｍｅｎｔ）の使用とともに、信号ユニットの連続化の制御を支援する。エラー訂正は、適切に受信されなかった信号ユニットの再送信によって処理される。信号化リンクの故障は、信号ユニットのエラー速度を監視するによって検出され、「ｌａｙｅｒ２」ＭＴＰ層３２９は、故障の時点で信号化リンクの回復に責任を負う。「ｌａｙｅｒ２」ＭＴＰ層３２９によって使用される手続は、ある局面において、ＧＳＭ勧告０８．０６（ＣＣＩＴＴ勧告Ｑ．７０３に関連する）に基づくが、そこに説明されているとおりに全て参考のためここに包含される。
【００４４】
インテリジェント基地局制御機４０４の「ｌａｙｅｒ３」ＭＴＰ層３２８は、メッセージのルーティング、信号トラフィックおよび信号化リンクの管理機能を提供する。さらに詳しくは、「ｌａｙｅｒ３」ＭＴＰ層３２８は、出（ｏｕｔｂｏｕｎｄ）信号化メッセージを信号化リンクへ転送し、入（ｉｎｃｏｍｉｎｇ）信号化メッセージをＳＣＣＰ層へ転送する。「ｌａｙｅｒ３」ＭＴＰ層３２８は、好ましくは多重信号化リンクを管理することができ、そして管理命令上の信号化リンクを禁止しまたは非禁止とする。「ｌａｙｅｒ３」ＭＴＰ層３２８は、リンク故障に際して信号化トラフィックを健全な信号化リンクへの切り換えを達成し、前に故障したリンクが活性になると、信号化トラフィックの切り戻しを行う。「ｌａｙｅｒ３」ＭＴＰ層３２８によって達成される信号化管理機能は、活性化，非活性化および信号化リンクの復旧を含む。「ｌａｙｅｒ３」ＭＴＰ層３２８によって使用される手続は、ある局面において、ＧＳＭ勧告０８．０６（ＣＣＩＴＴ勧告Ｑ．７０４に関する）に基づくが、そこに説明されているとおりに全て参考のためここに既に包含されている。
【００４５】
インテリジェント基地局制御機４０４のＳＣＣＰ層３２７は、インテリジェント基地局制御機４０４と移動交換センタ４１５との間の信号化メッセージをサポートする。ＢＳＳＭＡＰエンティティ３２５、ＤＴＡＰ移動管理（ＭＭ）エンティティ３２４およびＤＴＡＰ接続管理（ＣＭ）エンティティ３２３は、全てインテリジェント基地局制御機４０４のＳＣＣＰ層３２７を用いる。ＳＣＣＰ層３２７は、接続志向（ｃｏｎｎｅｃｔｉｏｎ−ｏｒｉｅｎｔｅｄ）および接続なし（ｃｏｎｎｅｃｔｉｏｎｌｅｓｓ）の双方のサービスを提供する。ＳＣＣＰ層３２７によって使用される手続は、ＧＳＭ勧告８．０６（ＣＣＩＴＴ勧告Ｑ．７１１−Ｑ．７１４に関連する）に述べられており、ここに参考のため包含される。他の事項について、ＧＳＭ勧告８．０６は、接続なしサービスに対しクラス０ＳＣＣＰの使用を、接続志向のサービスに対してはクラス２ＳＣＣＰを特定する。
【００４６】
ＳＣＣＰ層３２７の接続なしサービスはＢＳＳＭＡＰエンティティ３２５によって用いられる。接続志向のサービスは、ＢＳＳＭＡＰエンティティ３２５，ＤＴＡＰ−ＭＭエンティティ３２４およびＤＴＡＰ−ＣＭエンティティ３２３によって用いられる。接続志向のサービスに対して、インテリジェント基地局４０４および移動交換センタ４１５におけるピアＳＣＣＰ利用者間のメッセージの双方向転送がＳＣＣＰ接続を設定することによって達成される。１つのＳＣＣＰ接続が、１つ以上のトランザクションを有する各利用者（例えば、ＣＰＲＵ４０２）に対して設定される。ＳＣＣＰ接続がインテリジェント基地局４０４または移動交換センタ４１５のいずれかによってＳＣＣＰ層を経由する命令で設定できるが、しかしながらリンクの開放は好ましくは移動交換センタ４１５によってのみ開始され得る。特定の実施例では、基本となる接続志向のサービスのみがＳＣＣＰ層３２７によって、利用者データに対する順序付けまたはフロー制御なしに、提供される。
【００４７】
ＢＳＳＭＡＰエンティティ３２５に対する接続志向の機能は、一般的に関連する呼／トランザクションであり、特定の利用者局（移動局またはＣＰＲＵ４０２）をサポートするために用いられる。これらの接続志向の機能は、資源割当て，資源解放，初期利用者局メッセージ，ブロック／非ブロック，グローバル・リセット，ページング，リセット回線およびハンドオーバを含む。接続志向の機能をＢＳＳＭＡＰに対しサポートするために用いられるプロトコル・メッセージは、好ましくはＳＣＣＰ層３２７の接続志向サービスを用いて転送される。
【００４８】
ＢＳＳＭＡＰエンティティ３２５の接続志向の機能と関連する手続をより詳細に検証すると、資源割当ては、とりわけ、通信の初期立ち上げ中における無線信号化チャネルの割当てを含む。ＴＤＤおよび／またはＴＤＭＡの側面が用いられる実施例では、タイム・スロットが利用者局によって獲得されると、無線信号化チャネルの割当てが実行される。続いて、呼設定フェイズの間、移動交換センタ４１５は、資源割当手続を用い、ベアラ資源をその呼に割り当てる。例えば、移動交換センタ４１５はインテリジェント基地局４０４にＢＳＳＭＡＰ　ＡＳＳＩＧＮＭＥＮＴ　ＲＥＱＵＥＳＴメッセージを送ることにより資源を割り当てることを要求し、そのメッセージは要求されるベアラ資源の詳細（例えば、音声／データ速度，チャネル・タイプなど）、およびインテリジェント基地局４０４と移動交換センタ４１５との間で用いられるべき地上ベアラ・チャネルに関する情報を含む。それに応答して、その後インテリジェント基地局４０４はいくつかのアクションを起こす。インテリジェント基地局４０４は、その呼に対して要求されたあらゆるトランスコーディング・ユニット資源（図１に示されるような、トランスコーディング・ユニット１１２が使用されるならば）のみならず、ＩＢＳ／ＭＳＣインターフェイス（例えば、Ａ−インターフェイス４１９）のために要求されたベアラ地上資源を破棄する。インテリジェント基地局４０４は、オーバジエア接続のためにその呼に要求されたベアラ無線資源を割り当てる。インテリジェント基地局４０４は、要求されたあらゆる信号化をトランスコーディング・ユニットで実行して、もし適用可能なら、同期化させて呼処理のために準備し、割り当てられた無線チャネルをインテリジェント基地局４０４および移動交換センタ４１５にリンクする地上チャネルに接続することによって、インテリジェント基地局４０４を介してそのベアラ経路をスイッチする。その割当手続の完了により、インテリジェント基地局４０４から移動交換センタ４１５へＢＳＳＭＡＰ　ＡＳＳＩＧＮＭＥＮＴ　ＣＯＭＰＬＥＴＥメッセージを送ることによって、移動交換センタ４１５に信号を送る。
【００４９】
ＣＰＲＵ４０２と移動交換センタ４１５との間の接続管理（ＣＭ）レベルで呼／トランザクションの解放後、またはインテリジェント基地局４０４と移動交換センタ４１５との間の移動管理（ＭＭ）手続の完了後に、資源解放が実行される。ここに述べられたある実施例では、呼資源を解放するために、移動交換センタ４１５は、インテリジェント基地局４０４に呼／トランザクションのための無線および地上資源が解放されることを要求するＢＳＳＭＡＰ　ＣＬＥＡＲ　ＣＯＭＭＡＮＤメッセージを送る。その後、インテリジェント基地局４０４は、開放された無線資源を獲得するために内部（例えば、Ｎｏｔｅｓ）インターフェイス上で信号化を開始し、インテリジェント基地局４０４と移動交換センタ４１５との間のあらゆるインターフェイス４１９上の地上資源を解放し、ＣＬＥＡＲ　ＣＯＭＰＬＥＴＥ　ＢＳＳＭＡＰメッセージを移動交換センタ４１５へ戻す。ＣＬＥＡＲ　ＣＯＭＰＬＥＴＥ　ＢＳＳＭＡＰメッセージの受信で、移動交換センタ４１５は、その後、呼／トランザクションのためのＳＣＣＰ信号化リンクを開放する。並行して、ＣＰＲＵ４０２およびインテリジェント基地局４０４は、呼／トランザクションのために使用中の無線資源を解放するために協力する。
【００５０】
インテリジェント基地局４０４で起こった何らかの理由ために、無線チャネル開放が要求される場合、インテリジェント基地局４０４は、ＢＳＳＭＡＰ　ＣＬＥＡＲ　ＲＥＱＵＥＳＴメッセージを移動交換センタ４１５へ送り、内部（例えば、Ｎｏｔｅｓ）インターフェイス上で資源開放を開始する。移動交換センタ４１５およびインテリジェント基地局４０４がＣＬＥＡＲ　ＣＯＭＭＡＮＤ−ＣＬＥＡＲ　ＣＯＭＰＬＥＴＥ交換に入るとともに、Ａ−インターフェイス上での開放プロセスは継続し、ＳＣＣＰ信号化リンクの開放に続く。
【００５１】
インテリジェント基地局４０４と移動交換センタ４１５との間の信号化リンクのためのＳＣＣＰ接続の確立が起こると、インテリジェント基地局４０４は、初期「ｌａｙｅｒ３」メッセージ（例えば、ＭＭまたはＣＭ　ＳＥＲＶＩＣＥ　ＲＥＱＵＥＳＴ，ＬＯＣＡＴＩＯＮ　ＵＰＤＡＴＩＮＧ　ＲＥＱＵＥＳＴ，ＩＭＳＩ　ＤＥＴＡＣＨ，またはＲＲ　ＰＡＧＩＮＧ　ＲＥＳＰＯＮＳＥ）をＢＳＳＭＡＰ　ＣＯＭＰＬＥＴＥ　ＬＡＹＥＲ３　ＩＮＦＯＲＭＡＴＩＯＮメッセージの一部として手渡す。初期「ｌａｙｅｒ３」メッセージは、関係するＳＣＣＰ接続要求（ＣＲ）メッセージの一部として移動交換センタ４１５へ運ばれる。
【００５２】
インテリジェント基地局４０４は、ＢＳＳＭＡＰ手続を用いて、インテリジェント基地局４０４でブロックされている地上回線を移動交換センタ４１５に通知し、その後移動交換センタは呼のためのこのような地上回線（地上回線で進行中の呼はそのブロッキングに影響されない）を割り当てることを控える。呼の設定の一部として、もし伝送地上資源がインテリジェント基地局４０４でブロックされていることを示すＢＳＳＭＡＰ　ＡＳＳＩＧＮＭＥＮＴ　ＣＯＭＭＡＮＤをインテリジェント基地局４０４が受信するなら、インテリジェント基地局４０４は、資源はブロックされかつ移動交換センタ４１５との回線に対しブロッキング手続を繰り返すことを示すケース・コードを有するＢＳＳＭＡＰ　ＡＳＳＩＧＮＭＥＮＴ　ＦＡＩＬＵＲＥメッセージを移動交換センタ４１５に戻す。地上回線は、多くの理由、例えば、回線の使用を不可にする動作およびメインテナンス調停、回線を不可にする装置故障、または地上資源から無線資源へのアクセス不能を含む理由によってブロックされ得る。ブロッキング動作は非ブロッキング手続によって戻される。
【００５３】
ある実施例では、ブロッキングは、インテリジェント基地局４０４から移動交換センタ４１５への影響をうけた回線を認識して、ＢＳＳＭＡＰ　Ｂｌｏｃｋ　Ｍｅｓｓａｇｅの送信によって開始される。ＢＳＳＭＡＰ　Ｂｌｏｃｋ　Ｍｅｓｓａｇｅの送信後、インテリジェント基地局４０４は、その認識された回線を使用のために移動交換センタ４１５によって選択されること許容しないが、言及されたように、その回線上で進行中のどのような呼もそのブロッキング手続によって影響を受けないであろう。移動交換センタ４１５はＢＳＳＭＡＰ　Ｂｌｏｃｋ　Ａｃｋｎｏｗｌｅｄｇｅｍｅｎｔ　Ｍｅｓｓａｇｅで応答する。もしＢＳＳＭＡＰ　Ｂｌｏｃｋ　Ａｃｋｎｏｗｌｅｄｇｅｍｅｎｔ　Ｍｅｓｓａｇｅが所定のタイムアウト時間内に受信されないと、インテリジェント基地局４０４はＢＳＳＭＡＰ　Ｂｌｏｃｋ　Ｍｅｓｓａｇｅを再送信することができる。第２回目のＢＳＳＭＡＰ　Ｂｌｏｃｋ　Ｍｅｓｓａｇｅの送信後所定のタイムアウト時間内に受信確認が受信されない場合、インテリジェント基地局４０４は、その影響を受けた回線を「被ブロック（ｂｌｏｃｋｅｄ）」と記録し、オペレーション・アドミニストレーションおよび管理（ＯＡ＆Ｍ）センタへ警告を送る。
【００５４】
ブロッキング解除は、インテリジェント基地局４０４から移動交換センタ４１５への影響をうけた回線を認識して、ＢＳＳＭＡＰ　Ｕｎｂｌｏｃｋ　Ｍｅｓｓａｇｅの送信によって開始される。ＢＳＳＭＡＰ　Ｕｎｂｌｏｃｋ　Ｍｅｓｓａｇｅの送信後、インテリジェント基地局４０４は、ブロックされた回線を開放し、移動交換センタ４１５によって使用可能にする。移動交換センタ４１５はＢＳＳＭＡＰ　Ｕｎｂｌｏｃｋ　Ａｃｋｎｏｗｌｅｄｇｅｍｅｎｔ　Ｍｅｓｓａｇｅに応答する。第２回目のＢＳＳＭＡＰ　Ｕｎｂｌｏｃｋ　Ｍｅｓｓａｇｅの送信後所定のタイムアウト時間内に受信確認が受信されない場合、インテリジェント基地局４０４は、その影響を受けた回線を「ブロック解除（ｕｎｂｌｏｃｋ）」と記録する。
【００５５】
呼が設定される間、もしインテリジェント基地局４０４でブロックされている伝送地上資源を認識して、インテリジェント基地局４０４がチャネル割当命令（例えば、ＢＳＳＭＡＰ　Ａｓｓｉｇｎｍｅｎｔ　Ｃｏｍｍａｎｄ　Ｍｅｓｓａｇｅ）を移動交換センタ４１５から受信するならば、その後インテリジェント基地局４０４はＢＳＳＭＡＰ　Ａｓｓｉｇｎｍｅｎｔ　Ｆａｉｌｕｒｅ　Ｍｅｓｓａｇｅを移動交換センタ４１５へ、資源はブロックされていることを示す意見を付して戻す。その後、インテリジェント基地局４０４は認識された回線のためのブロッキング手続を移動交換センタ４１５と実行する。
【００５６】
ＢＳＳＭＡＰエンティティ３２５によって実行される他の機能は、グローバル・リセット手続で、それはインテリジェント基地局４０４および移動交換センタ４１５を障害時に初期化するために用いられる。業務参照情報の損失となるインテリジェント基地局４０４での障害時に、ＢＳＳＭＡＰ　Ｒｅｓｅｔ　Ｍｅｓｓａｇｅはインテリジェント基地局４０４によって移動交換センタ４１５へ送られる。移動交換センタ４１５は、影響を受けた呼を開放し、影響を受けた参照（ｒｅｆｅｒｅｎｃｅ）を消去し、全ての回線をアイドル状態に置く。所定の保護期間後に、移動交換センタ４１５はＢＳＳＭＡＰ　Ｒｅｓｅｔ　Ａｃｋｎｏｗｌｅｄｇｅｍｅｎｔ　Ｍｅｓｓａｇｅをインテリジェント基地局４０４へ送る。他方、移動交換センタ４１５での障害時に、ＢＳＳＭＡＰ　Ｒｅｓｅｔ　Ｍｅｓｓａｇｅはインテリジェント基地局４０４へ送られる。インテリジェント基地局４０４は影響を受けた呼を開放し、影響を受けた参照を消去する。その後、インテリジェント基地局４０４は、ブロックされた全ての回線に対し上述したＢＳＳＭＡＰブロッキング手続を移動交換センタ４１５と行う。所定の保護期間後、インテリジェント基地局４０４はＢＳＳＭＡＰ　Ｒｅｓｅｔ　Ａｃｋｎｏｗｌｅｄｇｅｍｅｎｔ　Ｍｅｓｓａｇｅを移動交換センタ４１５へ戻す。
【００５７】
リセット手続がまた説明される。もし異常なＳＣＣＰ接続開放に起因して、回線が移動交換センタ４１５でアイドル状態に置かなければならない場合、その時移動交換センタ４１５はＢＳＳＭＡＰ　Ｒｅｓｅｔ　Ｃｉｒｃｕｉｔ　Ｍｅｓｓａｇｅをインテリジェント基地局４０４へ送る。インテリジェント基地局４０４回線をアイドル状態に置き、ＢＳＳＭＡＰ　Ｒｅｓｅｔ　Ｃｉｒｃｕｉｔ　Ａｃｋｎｏｗｌｅｄｇｅｍｅｎｔ　Ｍｅｓｓａｇｅを移動交換センタ４１５へ送る。もし回線がインテリジェント基地局４０４で「被ブロック」と記録されているならば、その時、インテリジェント基地局４０４はＢＳＳＭＡＰブロッキング手続をその回線のために実行する。
【００５８】
ページングおよびハンドオーバ機能が、また、ＢＳＳＭＡＰ層を介して実行される。移動交換センタ４１５からのページング・メッセージはＢＳＳＭＡＰ層を介して接続なしメッセージとして送られる。インテリジェント基地局４０４は受信したＰａｇｉｎｇ　Ｒｅｑｕｅｓｔ　Ｍｅｓｓａｇｅを内部Ｐａｇｅ「Ｎｏｔｅ」へ変換し、インテリジェント基地局４０４内の内部Ｎｏｔｅｓインターフェイスを介して転送し、続いてインテリジェント基地局４０４のＯＴＡプロトコル層３１１によって処理する。
【００５９】
必要ではないが、ハンドオーバ機能は無線ローカル・ループ構造４０１中で実行される。もし利用者局（例えばＣＰＲＵ４０２）の全てが移動でないなら、その際ハンドオーバが提供される必要はない。しかしながら、ある実施例においては、固定された無線ローカル・システムで発生するかもしれない干渉を扱うため、あるいはもし望むなら固定利用者局のみならず移動利用者局にも提供するために追加機能として加えられてもよい。もしハンドオーバが提供されるなら、その際ハンドオーバのためのＧＳＭ「Ａ−インターフェイス」信号化手続がＢＳＳＭＡＰ層（例えば、図４に示されている）で実行される。ＢＳＳＭＡＰ層を介して受信された信号化メッセージは、インテリジェント基地局４０４で内部Ｎｏｔｅｓインターフェイスのために対応する内部信号化メッセージ上に作成される。ハンドオーバに関する詳細は図５と関連して後述される。後に述べられるように、ハンドオーバは途中での処理が行なわれなくても（ｔｒａｎｓｐａｒｅｎｔ）または行なわれても（ｎｏｎ−ｔｒａｎｓｐａｒｅｎｔ）よい。もし途中処理のないハンドオーバが実行されるなら、２つのインテリジェント基地局４０４間のハンドオーバは移動交換センタ４１５による最小の仲裁を必要とし、インテリジェント基地局４０４はＢＳＳＭＡＰ　Ｈａｎｄｏｖｅｒ　Ｐｅｒｆｏｒｍｅｄ　Ｍｅｓｓａｇｅを移動交換センタ４１５へ送信し、ハンドオーバの完了を示す。他方、もし途中処理の行なわれるハンドオーバが実行されるなら、その際インテリジェント基地局４０４間のあらゆるハンドオーバは（図１１の１１０９または図１２の１２０９のような）基地局制御機間のハンドオーバに類似して移動交換センタ４１５に現れるであろう。このような場合では、Ａ−インターフェイスの内部基地局制御機ハンドオーバ信号化手続がこのような途中処理の行なわれるハンドオーバに対して使用される。
【００６０】
また、移動管理機能が無線ローカル・ループ構造４０１内で提供される。位置更新手続は、ＣＰＲＵ４０２が最初に、あるいはインテリジェント基地局４０４および／または移動交換センタ４１５によって周期的に電源投入を行うとき、登録要求によって開始される。登録要求に対して、Ｌｏｃａｔｉｏｎ　Ｕｐｄａｔｅ　Ｒｅｑｕｅｓｔ　ＭｅｓｓａｇｅがＤＴＡＰ−ＭＭによって作成され、ＧＳＭ　Ａ−インターフェイス信号化手続を用いて移動交換センタ４１５へ送信される。移動交換センタ４１５は、登録要求を受理するか拒否するかに依存して、Ｌｏｃａｔｉｏｎ　Ｕｐｄａｔｅ　Ａｃｃｅｐｔ　ＭｅｓｓａｇｅまたはＬｏｃａｔｉｏｎ　Ｕｐｄａｔｅ　Ｒｅｊｅｃｔ　Ｍｅｓｓａｇｅで応答する。移動交換センタ４１５は、位置更新手続内における認証手続を開始することを選択する。利用者が（例えば、ＣＰＲＵ４０２の電源ダウンで）登録を解除する場合、インテリジェント基地局４０４はＡ−インターフェイスを介してＩＭＳＩ分離（ｄｅｔａｃｈ）手続を実行する。「ＩＭＳＩが分離された」状態において、移動交換センタ４１５はインテリジェント基地局４０４ページ・メッセージを転送せず、それによりページング資源を保護する。
【００６１】
移動管理層（図４に示されたＤＴＡＰ−ＭＭエンティティ３２４を含む）は、また一組の接続管理機能を、呼制御，付加サービス，および短メッセージ・サービスのような機能を含めて、オーバレイ接続管理（ＣＭ）エンティティへ提供する。この移動管理機能のセットは、移動管理（ＭＭ）接続によってＧＳＭ中に形成されている。
【００６２】
ＣＭエンティティが呼開始メッセージを発行すると、インテリジェント基地局４０４は、ＭＭ接続手続を接続管理（ＣＭ）エンティティに対して開始する。内部Ｓｅｔ　Ｌｉｎｋメッセージ（Ｎｏｔｅ）がインテリジェント基地局４０４中の内部インターフェイスを介して内部Ｎｏｔｅｓプロトコル層３１２からＯＴＡ側に届けられると、接続管理呼制御（ＣＭ−ＣＣ）呼に対して、ＭＭ接続手続が開始する。Ｓｅｔ　Ｌｉｎｋメッセージに応答して、移動管理（ＭＭ）層は制御管理（ＣＭ）Ｓｅｒｖｉｃｅ　Ｒｅｑｕｅｓｔ　Ｍｅｓｓａｇｅを移動交換センタ４１５へ送り、呼開始を始める。接続管理付加サービス（ＣＭ−ＳＳ）Ｒｅｇｉｓｔｅｒ　ＭｅｓｓａｇｅがＣＰＲＵ４０２からインテリジェント基地局４０４によって受信されると、接続管理付加サービス（ＣＭ−ＳＳ）呼に対して、移動管理（ＭＭ）接続手続が開始される。これに応答して、移動管理（ＭＭ）層は、ＣＭ　Ｓｅｒｖｉｃｅ　Ｒｅｑｕｅｓｔ　Ｍｅｓｓａｇｅを移動交換センタ４１５へ送る。移動管理トランザクション（例えば、ＣＰＲＵ４０２とのハンドオーバ）の完了で、ＤＴＡＰ−ＣＭエンティティ３２３は移動管理手続が首尾よく完了したことを通知され、Ｒｅｇｉｓｔｅｒ　Ｍｅｓｓａｇｅを移動交換センタ４１５へ転送する。もし移動交換センタ４１５が認証や信号暗号化のような特別の動作を呼設定の一部として行うことを決める場合、このような動作は移動管理接続のハンドシェイクの中で実行される。ある実施例では、定められた利用者に対する全ての接続管理トランザクションは移動交換センタ４１５で同じ内蔵ＳＣＣＰ接続を用いる。
【００６３】
認証手続は呼設定または位置更新の一部として、あるいは移動交換センタ４１５によって独立して実行されてもよい。認証手続が呼設定または位置更新手続と独立して開始される場合において、ＳＣＣＰ接続はインテリジェント基地局４０４と移動交換センタ４１５との間でまず確立し、認証信号化メッセージを送る。呼設定または位置更新手続の一部として実行される認証に対して、移動交換センタ４１５は、認証手続を使用に対し「Ｎ試行に１回」基準で実行し、別の言葉では、認証手続は呼設定または位置更新手続のあらゆる機会に対しては行なわれない。
【００６４】
ＭＭ層によって提供される他の接続管理機能は、認識手順（ｉｄｅｎｔｉｆｉｃａｔｉｏｎ ｐｒｏｃｅｄｕｒｅ）および中断手続（ａｂｏｒｔ ｐｒｏｃｅｄｕｒｅ）を含む。認識手順は、移動交換センタ４１５によって起動され、ＣＰＲＵ４０２がネットワークに特定の認識パラメータを提供するのを要求する。中断手続は、定められた利用者に対し、移動交換センタ４１５によって行なわれ確立された全ての移動管理接続のみならず、進行中のあらゆる移動管理接続の確立を中断する。移動交換センタ４１５は、Ａｂｏｒｔ　Ｍｅｓｓａｇｅをインテリジェント基地局４０４に送信することによって中断手続を開始する。インテリジェント基地局４０４がＡｂｏｒｔ　Ｍｅｓｓａｇｅを受信すると、進行中のあらゆる移動管理（ＭＭ）接続確立手順を中断し、利用者に対し既存の全ての移動管理接続を開放する。それはまた、内部ＮｏｔｅｓインターフェイスおよびＯＴＡインターフェイス上の信号化を開始させ、利用者に対し進行中の全ての接続管理トランザクションを開放するようにＣＰＲＵ４０２上の接続管理（ＣＭ）層に要求する。
【００６５】
様々な接続管理機能がインテリジェント基地局４０４のＤＴＡＰ−ＣＭエンティティ３２３（図３をみよ）によって提供される。しかしながら、ＤＴＡＰ−ＣＭエンティティ３２３は、主に中継機能を行い、実際にはメッセージの処理を行わないで、ＣＰＲＵ４０２と移動交換センタ４１５との間の接続管理（ＣＭ）プロトコル・メッセージを中継する。ＤＴＡＰ−ＣＭエンティティ３２３によって提供される接続管理機能の中には、呼設定の利用者終了がある。接続管理呼制御（ＣＭ−ＣＣ）層のＳｅｔｕｐ　Ｍｅｓｓａｇｅがインテリジェント基地局４０４で移動交換センタ４１５から受信されると、インテリジェント基地局４０４のＤＴＡＰ−ＣＭエンティティ３２３は設定要求を格納し、オーバジエア・インターフェイス４０３上の信号化リンク確立を開始する。ひとたびリンク確立が完了すると、ＤＴＡＰ−ＣＭエンティティ３２３はＳｅｔｕｐ　Ｍｅｓｓｅａｇｅを引き出し、ＣＰＲＵ４０２へ転送する。ＤＴＡＰ−ＣＭエンティティ３２３によって提供された他の接続管理機能は、付加サービスの登録手続である。接続管理の付加サービス（ＣＭ−ＳＳ）Ｒｅｇｉｓｔｅｒ　ＭｅｓｓａｇｅがＣＰＲＵから登録付加サービスへ受信される場合、ＤＴＡＰ−ＣＭエンティティ３２３はその要求を格納し、移動管理（ＭＭ）層で移動管理（ＭＭ）接続手続を開始する。ひとたび移動管理接続手続が完了すると、Ｒｅｇｉｓｔｅｒ　Ｍｅｓｓａｇｅが取り出され、インテリジェント基地局４０４によって移動交換センタ４１５へ転送される。
【００６６】
無線ローカル・ループ構造４０２内のＣＰＲＵ４０２へのアドレス指定は、フル移動システムでアドレス指定するのに類似する、すなわち、ユニークな個人識別番号（ｐｅｒｓｏｎａｌ ｉｄｅｎｔｉｆｉｃａｔｉｏｎ ｎｕｍｂｅｒｓ：ＰＩＤ）または国際移動加入者識別子（ｉｎｔｅｒｎａｔｉｏｎａｌ ｍｏｂｉｌｉｔｙ ｓｕｂｓｃｒｉｂｅｒ ｉｄｅｎｔｉｆｉｅｒｓ：ＩＭＳＩ）を用いて、ＣＰＲＵ４０２、および／または、ＣＰＲＵ４０２に対する装置識別子としての装置加入者番号（ｅｑｕｉｐｍｅｎｔ ｓｕｂｓｃｒｉｂｅｒ ｎｕｍｂｅｒ：ＥＳＮ）または国際移動装置識別子（ｉｎｔｅｒｎａｔｉｏｎａｌ ｍｏｂｉｌｅ ｅｑｕｉｐｍｅｎｔ ｉｄｅｎｔｉｆｉｅｒ：ＩＭＥＩ）の利用者を識別する。無線ローカル・ループ構造４０２と関連して用いられるアドレス指定の技術および原則は１９９５年９月２２日に出願された米国特許出願番号第０８／５３２，４６６号に開示されており、そこに説明されているとおりに全て参考のためここに包含される。
【００６７】
無線ローカル・ループ・システムにおける各インテリジェント基地局４０４に対し、基地局識別子が好ましくは提供される。同様に、各セル（無線ローカル・ループはセルラ・システムの一部として配置されると仮定して）に対し、好ましくはセル識別子が提供される。セル識別情報は、好ましくはＡ−インターフェイス４１９を介するメッセージ中に付随して送られる完全なＧＳＭセル識別値をインテリジェント基地局４０４が形成するのに十分である。さらに、既存の基地局４０４がどのセルを制御するかを示すために、セル−基地局の地図化が好ましくは提供される。
【００６８】
ロケーション・エリア（ｌｏｃａｔｉｏｎ ａｒｅａ）は、好ましくはそのシステムのオペレーション・アドミニストレーションおよび管理（ＯＡ＆Ｍ）エンティティを介して構成される。ＧＳＭの専門用語では、ロケーション・エリアはセルのグループである。一般に、各移動交換センタ４１５は１つまたはそれ以上のロケーション・エリアを制御する。ロケーション・エリアに関する情報は、インテリジェント基地局４０４と移動交換センタ４１５との間のトランザクション中のみならずオーバジエア放送で送信されてもよい。
【００６９】
インテリジェント基地局のプロトコル構造３０１内のインターワーキング機能３１０，３２０（図３をみよ）は、内部基地局メッセージ（Ｎｏｔｅｓと称される）とＡ−インターフェイス４１９を介して送られたメッセージとの間の変換機能を提供する。インターワーキング機能３１０，３２０は、内部および外部基地局インターフェイスを介して送られた手続、メッセージおよび情報要素に適用する。さらに詳しくは、これらの機能は、内部（Ｎｏｔｅｓ）基地局のプロトコルに収容された無線資源管理の信号化とＡ−インターフェイス４１９を介するＢＳＳＭＡＰの信号化との間のインターワーキング、内部（Ｎｏｔｅｓ）基地局プロトコル内の移動管理の信号化とＡ−インターフェイス４１９上の移動管理（ＭＭ）層の信号化との間のインターワーキング、およびインテリジェント基地局４０４を介するＣＰＲＵ４０２と移動交換センタ４１５との間の接続管理（ＣＭ）メッセージの中継、を含む。これらのＣＭメッセージは、内部（Ｎｏｔｅｓ）基地局インターフェイスを介するＴｒａｎｓｐｏｒｔ　Ｍｅｓｓａｇｅｓ（Ｔｒａｎｓｐｏｒｔ　Ｎｏｔｅｓとも称される）として、またＡ−インターフェイス４１９を介するＤＴＡＰメッセージとして伝送される。
【００７０】
オペレーション・アドミニストレーションおよび管理（ＯＡ＆Ｍ）機能は、インテリジェント基地局のプロトコル構造３０１内のライン・プロセッサ３０３によって提供される。好ましくは、インテリジェント基地局４０４を制御する基地局制御機はないので、ライン・プロセッサ３０３は、一方で、運営および保守センタ（ＯＭＣ）（図示せず）によって管理されるＯＡ＆Ｍの代理として動作する。他方、ライン・プロセッサ３０３はＯＡ＆Ｍ機能をインテリジェント基地局４０４のＯＴＡプロセッサ３０２（図３を見よ）に対し調整する。一般的なレベルで、ライン・プロセッサ３０３は、２つのカテゴリのＯＡ＆Ｍ機能、すなわち、（１）インテリジェント基地局４０４内のライン・プロセッサ３０３自身の物理的および論理的エンティティに関するＯＡ＆Ｍ、および（２）インテリジェント基地局４０４のＯＴＡプロセッサ３０２に対するＯＡ＆Ｍの協調、を有する。ＯＴＡプロセッサ３０２はライン・プロセッサ３０３と管理者−代理者の関係における代理者として動作し、ＯＡ＆Ｍ機能それ自身に対して実行する。
【００７１】
図６は、本願発明の１またはそれ以上の局面に関する無線ローカル・ループ・システムの別の実施例における図である。図６に示されるように、無線ローカル・ループ・システム６０１は、１つまたはそれ以上のインテリジェント基地局４０４（図１に示されたインテリジェント基地局１０４または図４に示されたインテリジェント基地局４０４）からなり、それは様々なＣＰＲＵ６０２（図１に示されたＣＰＲＵ１０２または図４に示されたＣＰＲＵ４０２）と通信を行う。各インテリジェント基地局６０４は、トランスコーダおよび速度アダプタ装置（ＴＲＡＵ）６１２および信号化転送ポイント（ｓｉｇｎａｌｉｎｇ ｔｒａｎｓｆｅｒ ｐｏｉｎｔ：ＳＴＰ）装置６２０を経由して移動交換センタ６１５と通信を行う。インテリジェント基地局６０４は迂回中継ライン６１４（例えば、Ｔ１またはフラクショナルＴ１ラインで構成されてもよい）を介してトランスコーダおよび速度アダプタ装置６１２に接続されてもよく、トランスコーダおよび速度アダプタ装置６１２は同様に追加の迂回中継ライン６１６（例えば、Ｔ１またはフラクショナルＴ１ラインで構成されてもよい）を介して移動交換センタ６１５に接続されてもよい。移動交換センタ６１５は、またホーム位置レジスタ（ｈｏｍｅ ｌｏｃａｔｉｏｎ ｒｅｇｉｓｔｅｒ：ＨＬＲ）６３１、および電話ネットワーク（ＰＳＴＮ）６２５に接続されてもよい。
【００７２】
動作に関して、インテリジェント基地局６０４はトランスコーダおよび速度アダプタ装置６１２と送受信を行う。トランスコーダおよび速度アダプタ装置６１２は、互いに独立して動作するが１つまたはそれ以上のインテリジェント基地局６０４の制御下にある多くのトランスコーディング装置のシェルフからなる。各トランスコーディング装置のシェルフは、例えば、９２の伝送チャネルまでサポートする。
【００７３】
トランスコーダおよび速度アダプタ装置６１２は、一般にベアラ経路においてある機能のネットワーク側の処理を提供する。これらの機能は、例えば、音声トランスコーディング，ネットワーク側の順方向誤り訂正（ｆｏｒｗａｒｄ ｅｒｒｏｒ ｃｏｒｒｅｃｔｉｏｎ：ＦＥＣ），およびネットワーク側のベアラ音声の暗号化および解読化を含む。
【００７４】
音声トランスコーディング機能に関して、トランスコーダおよび速度アダプタ装置６１２は、利用者側から受信した符号化音声データとネットワーク側から受信した「ｍｕ−法」で符号化されたパルス・コード変調（ｐｕｌｓｅ−ｃｏｄｅ ｍｏｄｕｌａｔｅｄ：ＰＣＭ）データとの間の双方向変換を提供してもよい。ＣＰＲＵ６０２におけるボコーダ（図２の代表的なＣＰＲＵ２０１の図に示されたボコーダ２２１のように）は、電話２３５（図２を見よ）から受信した音声をネットワークへ向けたオーバジエア送信のために圧縮する。逆方向において、ＣＰＲＵ６０２中のボコーダはＣＰＲＵ６０２への伝送するに先立ってオーバジエア音声を解凍（ｄｅ−ｃｏｍｐｒｅｓｓ）する。
【００７５】
トランスコーダおよび速度アダプタ装置６１２は、好ましくは、とりわけ音声符号化器および音声復号化器からなる。トランスコーダおよび速度アダプタ装置６１２は、ネットワーク（例えば、６４キロビット／秒での伝送）からＰＣＭ音声データを受信し、ＣＰＲＵ６０２へ向けた伝送用にこのデータをサブ速度オーバジエア・チャネルへ圧縮する。順方向誤り訂正（ＦＥＣ）情報は、トランスコーダおよび速度アダプタ装置６１２でＦＥＣ機能によって別々に加えられる。トランスコーダおよび速度アダプタ装置６１２中の音声復号化器はＣＰＲＵからの圧縮された音声データを処理し、このデータを変換し、移動交換センタ６１５へ向けた送信のために６４ｋｂｉｔ／ｓのＰＣＭ音声データを生成する。トランスコーダおよび速度アダプタ装置６１２中の音声復号化器は、インテリジェント基地局６０４が順方向誤り訂正機能で訂正できない誤りを含むフレームを検出する場合に、予測音声パターンを出力するための補間機能を提供する。トランスコーダおよび速度アダプタ装置６１２は、また制御トラフィック送信のような必要なときに、Ａ−インターフェイスへの出力を無音化するミュート能力を提供する。
【００７６】
順方向誤り訂正（ＦＥＣ）に関して、利用者−ネットワークの方向において、ＦＥＣ情報はＣＰＲＵ６０２によってメッセージに加えられる。トランスコーダおよび速度アダプタ装置６１２中のチャネル復号化機能はＦＥＣ情報を用い、誤りの存在を検出し、受信したビットを与えて最も可能性のある送信ビットを推定する。ネットワーク−利用者の方向では、トランスコーダおよび速度アダプタ装置６１２は、ボコーダ機能から受信したフレーム上に順方向誤り訂正を適用する。ネットワーク−利用者の方向におけるＦＥＣ符号化は、ＣＰＲＵ６０２によって達成される。
【００７７】
暗号化および解読化に関して、本システムで使用されるベアラ暗号メカニズムは、好ましくは本技術分野によく知られたアルゴリズムであるＧＳＭ　Ａ５／１アルゴリズムに基づく。ベアラ音声に関して、暗号化および解読化における本システムの２つの端末は、ＣＰＲＵ６０２およびトランスコーダおよび速度アダプタ装置６１２である。通信が時間フレームおよび時間スロット（時分割多重接続またはＴＤＭＡシステムのようなタイプ、そのような例は図９，１０に示されているが、後に述べられる）に分割される一方、暗号化および解読化がフレーム毎の基準で達成される。
【００７８】
ＣＰＲＵ６０２、およびトランスコーダおよび速度アダプタ装置６１２は、ＣＰＲＵ６０２によってフレームを暗号化するために用いられるフレーム番号が、トランスコーダおよび速度アダプタ装置６１２によって解読するために用いられるフレーム番号と同じであるという感じで暗号化同期を行ってもよく、その逆もまた同じである。ＧＳＭ　Ａ５／１アルゴリズムは、フレーム番号を基準に、フレーム単位を基準として暗号化／解読化マスクを生成することを含む。エラー状態（オーバジエア・リンクまたは迂回中継リンクのいずれかで経験される）に起因する暗号同期化の消失から回復するとき、典型的には、暗号同期化の確立および再確立は呼設定で発生する。暗号同期化が一度確立される（あるいは、このケースでもそうであってもよいが、再確立される）とＣＰＲＵ６０２およびトランスコーダおよび速度アダプタ装置６１２は、オーバジエアおよび迂回中継インターフェイス上の各フレーム・サイクルに対してそのフレーム番号を増加させる。好ましくは、同じフレーム長（例えば、２０ミリ秒）がオーバジエアおよび迂回中継の時間フレームの双方に対して用いられ、その結果各フレーム・サイクル毎にフレーム番号を増加させることにより、２つの端末間におけるフレーム番号の同期化を暗号／解読機能のために通常維持させることができる。
【００７９】
特別のインターフェイスは、ＳＴＰ装置６２０と移動交換センタ６１５との間でＳＳ７リンクを介して集中Ａ−インターフェイスの信号化を行う。この影響で、トランスコーダおよび速度アダプタ装置６１２は、ＳＳ７リンク６７２を介する転送のために、ＳＴＰ装置６２０を通してインテリジェント基地局６０４へまたはから直接に信号化メッセージを導くことができる。好ましくは、トランスコーダおよび速度アダプタ装置６１２は、ＳＳ７リンク６７２を介してインテリジェント基地局６０４と移動交換センタ６１５との間で途中処理をしない信号化の通過を提供する。他の迂回中継ライン６１６は、トランスコーダおよび速度アダプタ装置６１２のＯＡＭ＆Ｐ制御のための信号化を伝える。トランスコーディング装置の機能を呼毎にダイナミックに制御するために、入信号化はトランスコーダおよび速度アダプタ装置６１２と基地局制御機１１２との間で達成される。トランスコーダおよび速度アダプタ装置６１２とインテリジェント基地局６０４との間で交換される信号化は特定のＴ１時間スロット（例えば、時間フレームの最初の時間フレーム）中に集中されてもよく、またレベル２のリンク接続の手続を通してＤチャネル（ＬＡＰＤ）プロトコルのために制御されてもよい。
【００８０】
図７は、無線ローカル・ループ・システム７０１に対する他の実施例の図である。図７の無線ローカル・ループ・システム７０１は、図７のシステムが基地局制御機機能を具備していない基地局７０４を使用することを除いて、図６に示された無線ローカル・ループ・システム６０１に類似しており、むしろ別の基地局制御機７８０が基地局７０４と移動交換センタ７１５との間に提供される。トランスコーダおよび速度アダプタ装置７８１は、基地局制御機７８０の一部として組み込まれる。動作に関して、図６の実施例に関して示されたトランスコーダおよび速度アダプタ装置６１２が図７の実施例の基地局制御機７８０内に組み込まれる。トランスコーダおよび速度アダプタ装置７８１は、図６に対応するものとして、音声トランスコーディング、ネットワーク側の順方向誤り訂正（ＦＥＣ）、およびネットワーク側におけるベアラ音声の暗号化および解読化などのベアラ経路上の機能であるネットワーク側の処理を、図６の実施例に関して既に述べられたように、提供する。図７の実施例において、Ａ−インターフェイスを介する信号化機能が基地局制御機７８０に組み込まれ、図６において利用されるＳＴＰ装置６２０を省略する。
【００８１】
図５は、無線ローカル・ループ機能およびフル移動機能の双方を有する通信ネットワーク構造の一実施例を示す。図５に示されるように、通信ネットワーク５０１は、無線ローカル・ループ・サブシステム５４０および無線移動サブシステム５４５からなり、その各々は移動交換センタ５１５に接続する。ある実施例では、無線移動サブシステム５４５は移動性を完全にサポートするＧＳＭ基盤ネットワークからなり、無線ローカル・ループ・サブシステム５４０として同じ移動交換センタ５１５を用いることができる。
【００８２】
好適な実施例では、図５を再度参照して、無線ローカル・ループ・サブシステム５４０は、１またはそれ以上のインテリジェント基地局５０４からなり、それは図１に示されたインテリジェント基地局１０４およびＣＰＲＵ１０２に類似した手法で１またはそれ以上のＣＰＲＵ５０２と通信することができる。迂回中継ライン５１４（例えば、Ｔ１ラインであってもよい）は、インテリジェント基地局５０４をトランスコーダおよび速度アダプタ装置（ＴＲＡＵ）５１２に接続し、図１に示されたのと同じ目的を与える。トランスコーダおよび速度アダプタ装置５１２は、迂回中継ライン５１４のようにＴ１ラインであってもよいが、別の迂回中継ライン５１６を経由して移動交換センタ５１５に接続される。
【００８３】
無線移動サブシステム５４５は、固定または移動利用者局５２２と通信を行う１またはそれ以上の基地局５２４からなる。好ましくは、基地局５２４はＧＳＭ通信プロトコルに従って動作するが、その基地局５２４は他の通信プロトコルに従って動作してもよい。基地局５２４は、例えばＴ１ラインで構成されてもよいが、迂回中継ライン５２８を経由して基地局制御機５２７に接続される。基地局制御機５２７は移動システムの運営および保守センタ（ＯＭＣ）５２８に接続される。基地局制御機５２７は、また迂回中継ライン５３８のようにＴ１ラインで構成されてもよいが、迂回中継ライン５３９を経由して移動交換センタ５１５に接続される。
【００８４】
移動交換センタ５１５自身、好ましくは、無線通信システム５０１の動作および機能を向上させる多くの他のシステム・コンポーネンツにリンクされる。このように、移動交換センタ５１５は、図５に示されるように、短メッセージ・サービス（ＳＭＳ）システム５３２およびホーム位置レジスタ／装置識別レジスタ５３１のみならず、グローバル・システム動作および保守センタ（ＯＭＣ）５３０に接続される。
【００８５】
ある実施例では、無線ローカル・ループ・サブシステム５４０は、ある移動管理機能（登録、認証およびそれに類似するもの）、およびインテリジェント基地局５０４間の移動ハンドオフをサポートするように構成される。２つの異なったタイプのハンドオフ手続の例が図８Ａ−図８Ｃに示される。図８Ａにおいて、（移動局のような）利用者８０２は、オーバジエア（ＯＴＡ）通信リンク８２３を介してインテリジェント基地局８０４ａと通信する過程にある。ＯＴＡ通信リンク８１５を介して進行中の呼をサポートするために、インテリジェント基地局８０４ａは信号化チャネル８２４およびベアラ・チャネル８２５を介して移動交換センタ８１５と通信を行う。この時点では、図８Ａに示される利用者８０２と第２基地局８０４ｂとの間には通信は行われていない。
【００８６】
利用者局８０２のハンドオーバが必要となりかつ所望されるとき、新しいオーバジエア（ＯＴＡ）通信リンクが目標インテリジェント基地局８０４ｂと確立される。新しいＯＴＡ通信リンクは、利用者局８０２の起動またはインテリジェント基地局８０４ｂの起動のいずれかで確立される。好適な実施例では、新しいＯＴＡ通信リンクは、例えば、１９９４年８月３１日に出願された米国特許出願番号０８／２８４，０５３に説明されている技術に従って、利用者局８０２の起動で確立され、そこに説明されているとおりに全て参考のためここに包含される。このような実施例では、インテリジェント基地局８０４ｂは、通信可能な１またはそれ以上の時間スロットに一般的なポーリング信号を送信し、利用者局８０２は利用者局８０２を識別する一般的な応答メッセージを送信することにより通信可能と示す時間スロット中でその一般的なポーリング信号に応答する。
【００８７】
ある実施例では、インテリジェント基地局８０４ａ，８０４ｂ間のあらゆるハンドオーバは移動交換センタ８１５に可視的（途中処理がない）である。このような実施例の好ましいバージョンでは、利用者局８０２は新しいＯＴＡ通信リンク８４３を、図８Ｂに描かれているように、目標インテリジェント基地局８０４ｂと確立する。目標インテリジェント基地局８０４ｂは、ハンドオーバが要求され、その時呼が目標インテリジェント基地局８０４ｂへ転送されることを、移動交換センタ８１５および／またはソース・インテリジェント基地局８０４ａに通知する。結果として、信号化チャネル８４４およびベアラ・チャネル８４５は移動交換センタ８１４と目標インテリジェント基地局８０４ｂとの間で確立され、進行中の呼をサポートする。ある局面において、図５の基地局制御機５２７に類似し、基地局制御機の容量内で動作して２つのインテリジェント基地局８０４ａ，８０４ｂの各々が可視的であるので、移動交換センタ８１５は内部ＢＳＣ（基地局制御機）ハンドオーバとしてそのハンドオーバを参照する。その結果、ハンドオーバ手続は、内部ＢＳＣハンドオーバに対してＡ−インターフェイスの信号化にオーバヘッドを発生する。しかしながら、たとえあったとしても、ごく僅かであるが、このようなタイプのハンド−オーバ手続をサポートするためには、ハードウェア変更が必要とされる。
【００８８】
図８Ｃは、定義された端末群（ｃｌｕｓｔｅｒｓ）内のインテリジェント基地局間のハンドオーバが移動交換センタ８１５にとって非可視的に行われるハンドオーバの手続、すなわち、Ａ−インターフェイス上で発生しなければならないＢＳＣに関連するハンドオーバに対して通常要求されるハンドオーバの信号化をしないで、行われるハンドオーバの手続を図示する。図８Ｃのハンドオーバ手続をサポートするために、インテリジェント基地局８０４ａ，８０４ｂは、それらの間で物理的な接続性を有することが望ましく、その結果インテリジェント基地局８０４ａ，８０４ｂ間のハンドオーバの信号化は直接に発生する。図８Ｃによって図示されるハンドオーバ手続において、ハンドオーバ信号化メッセージがインテリジェント基地局８０４ａ，８０４ｂ間の物理的な接続を用いてそれらの間で交換され、その時ソース・インテリジェント基地局８０４ａはＡ−インターフェイス信号化チャネル８６４およびベアラ・チャネル８６５を図８Ｃに示された信号化チャネル８６７およびベアラ・チャネル８６６、それらは２つのインテリジェント基地局８０４ａ，８０４ｂを接続する物理的リンクを介して結ばれるが、それらを経由して目標インテリジェント基地局８０４ｂへ通過させる。第１インテリジェント基地局８０４ａは、それを通して呼が起こるが、その呼に対してアンカー（ａｎｃｈｏｒ）基地局となり、第２インテリジェント基地局８０４ｂはリレー（中継）基地局となる。通話保留時間のリマインダに対して、利用者局８０２と移動交換センタ８１５との間の信号化およびトラフィックのための経路はインテリジェント基地局８０４ａ，８０４ｂの双方を通り、アンカー・インテリジェント基地局８０４ａは呼の制御を放棄することはない。この試みによる利点は、インテリジェント基地局８０４の定義された端末群内で、インテリジェント基地局８０４間のハンドオーバがＡ−インターフェイスを介して要求される重要な信号化なしに起こり、移動交換センタ８１５上のハンドオーバの負荷を軽減させる結果となることである。比較的単純なプロトコルが、ハンドオーバ状態を処理するために、インテリジェント基地局８０４間に要求される信号化を処理するために用いられ得る。
【００８９】
図９および図１０は、ＣＰＲＵ１０２（４０２）を含む基地局１０２（４０４）と様々な利用者局との間の通信に用いられる現実の２つのフレーム構造を示すタイミング図である。図９で示されるフレーム構造では、時分割多重接続（ｔｉｍｅ ｄｉｖｉｓｉｏｎ ｍｕｌｔｉｐｌｅ ａｃｃｅｓｓ：ＴＤＭＡ）およびスペクトラム拡散通信の特徴が用いられる。図９に示されるように、ポーリング・ループ９８０（「メジャー・フレーム」とも呼ばれる）は、複数の時間スロット９８１（「マイナー・フレーム」とも呼ばれる）から構成される。各マイナー・フレーム９８１は、基地局（例えば、セルラ局）と利用者局（固定または移動利用者）との間の時分割多重（ｔｉｍｅ ｄｉｖｉｓｉｏｎ ｄｕｐｌｅｘ：ＴＤＤ）のためのチャネルを提供する、すなわち、基地局１０４（４０４）は利用者局（ＣＰＲＵ１０２または４０２）へ送信し、利用者局１０４は同じマイナー・フレーム９８１内で返信する。より詳しくは、図９におけるポーリング・ループ９８０の一部を拡大する図に示されるように、マイナー・フレーム９８１は、基地送信９８３に先行する移動または利用者送信９８２を含む。マイナー・フレーム９８１は、また利用者送信９８２に先行する可変無線遅延ギャップ９８４を含み、ターンアラウンド・ギャップ９８８およびガード・タイム・ギャップ９８９が続く。ギャップ９８９の後に、別のターンアラウンド・ギャップ９９３が続く。利用者送信９８２は、プリアンブル９８５、プリアンブル音響ギャップ９８６、利用者メッセージ・インターバル９８７からなる。基地送信は、プリアンブル９９０、プリアンブル音響ギャップ９９１、基地メッセージ・インターバル９８７からなる。
【００９０】
図１０に示される別のフレーム構造において、周波数分割多重接続（ｆｒｅｑｕｅｎｃｙ ｄｉｖｉｓｉｏｎ ｍｕｌｔｉｐｌｅ ａｃｃｅｓｓ：ＦＤＭＡ）およびＴＤＭＡが使用される。図１０に示されるように、第１周波数帯１０６０が基地−利用者送信のために基地局１０９に配分され、他の周波数帯１０６１が利用者−基地送信のために利用者局（例えば、ＣＰＲＵ、ハンドセット、または他の無線装置）に配分される。繰り返しメジャー・フレーム（または「ポーリング・ループ」）１０５１は、各周波数帯１０６０を介する通信用に定義される。複数の（例えば、１６）多重時間スロットが通信に利用可能である。基地時間スロット１０５２および利用者時間スロット１０５３の双方は、繰り返しメジャー・フレーム１０５１内に定義され、好ましくは、利用者時間スロットは所定の時間量（例えば、メジャー時間フレーム期間の半分）だけ基地時間スロットに遅れる。この時間遅延あるいはスロット・オフセット１０５５により、利用者局の時間は基地周波数帯１０６０を介して割り当てられた基地時間スロット１０５２中の送信を受信し、基地−利用者送信を処理し、送信／受信周波数のスイッチ、そして逆リンク送信を送信するために全時間フレーム期間を待つ必要がなく、対応する利用者時間スロット１０５３中で逆リンク送信を送信することができる。
【００９１】
基地局１０４（または４０４）とＣＰＲＵ１０２（または４０２）との間の無線通信のための実際のフレーム構造が図９および図１０に示され、それに関連する詳細およびプロトコルが概略的に上述され、他のフレーム構造および関連するプロトコルが代わりに用いられてもよい。広範囲のフレーム構造およびプロトコルがここに述べられた様々な無線通信ネットワーク構造に利用可能であることは、当業者であれば容易に理解されるであろう。
【００９２】
好適な実施例では、基地局１０４（または４０４）は、セル分離のためにＦＤＭＡ，ＴＤＭＡ，および／またはＣＤＭＡの特徴を利用するセルラ・ネットワークの一部である。実際の実施例では、ＴＤＭＡを通して、利用者は分離され、多重接続が達成される。周波数分割多重（ｆｒｅｑｕｅｎｃｙ ｄｉｖｉｓｉｏｎ ｄｕｐｌｅｘｉｎｇ：ＦＤＤ）が複数の全二重の利用者を許容するために使用され、共通のＲＦ無線周波数を共用する。セルラ・ネットワークにおける隣接するセルは、予め決められた１組の周波数チャネルの１つが割り当てられ、７つの符号再使用パターンを用い、セル間の分離を達成する。直接シーケンス・スペクトラム拡散送信は、ＣＰＲＵ１０２（または４０２）を含めて基地局１０４およびセル内の利用者によって用いられる。スペクトラム拡散通信は、同じ程度の近接さで動作する他のシステム（例えば、ＰＣＳシステム）に関するのみならず、セル間の干渉を減少させる。隣接する端末群のセルは、直交または直交に近い拡散符号を含む様々な干渉拒絶技術を用い、電力制御、指向性アンテナおよび時間スロット変換（ｔｉｍｅ ｓｌｏｔ ｉｎｔｅｒｃｈａｎｇｅ：ＴＳＩ）を制御する。
【００９３】
通信チャネルは、好ましくは要求に基づいてＣＰＲＵ１０２（または４０２）に割り当てられるが、ある実施例では、事前割当であってもよい。オーバジエア通信チャネルの動的割当ての利点は、より多くの利用者がサポートされるということである。図１０に示されるプロトコルに対し、オーバジエア通信チャネルは、好ましくはＣＰＲＵ１０２（または４０２）から基地局１０４（または４０４）への要求に基づき割り当てられる。オーバジエア通信チャネルの割当ては基地局１０２と通信する移動利用者（もしあれば）に対するのと同じように、すなわち、基地局１０２が一部であるネットワークに対するセルラ通信プロトコルに従って、実行される。例えば、オーバジエア通信チャネルは、専用制御チャネルの補助で割り当てられる。また、オーバジエア通信チャネルは、例えば１９９５年６月５日に出願された米国特許出願番号０８／４６３，２２０号公報に記述された技術に類似のものに従って割り当てられてもよく、そこに説明されているとおりに全て参考のためここに包含される。オーバジエア通信チャネルを配分しまたは割り当てるための他のあらゆる適切なメカニズムが用いられてもよい。
【００９４】
本願発明のある特徴に従うローカル・エリア通信システム（例えば、無線通信ローカル・ループ・システム）は、ＰＢＸまたはＫＴＳからネットワークへ陸上線接続を要求するシステムと比較して、遠隔および／または郊外地域に比較的容易に展開することができる。無線接続通信装置からＰＢＸまたはＫＴＳへ接続することに加え、遠隔地に配備されたローカル・エリア通信システムは、比較的少ない余分な展開努力で（長距離接続を含めて）無線ネットワークの利点を獲得することができる。
【００９５】
本願発明の好適な実施例がここに記述される一方、本願発明の概念および範囲内にある多くの変形が可能である。このような変形は、本明細書および図面の精査すれば、本技術の通常の能力を有する者にとって明瞭となるであろう。したがって、本発明は、係属するあらゆる請求項における精神および範囲内に制限されるものではない。
【図面の簡単な説明】
【図１】
本願発明の１つまたはそれ以上の局面にかかる無線ローカル・ループ・システムを示す図である。
【図２】
好適な顧客宅内遠隔装置（ＣＰＲＵ）の機能ブロック図である。
【図３】
好適なインテリジェント基地局の内部プロトコル構造を示す図である。
【図３Ａ】
インテリジェント基地局のハードウェア・ブロック図である。
【図４】
ＧＳＭ機能の特徴を使用する無線ローカル・ループ・システムのプロトコル構造の図である。
【図５】
移動および非移動利用者の双方をサービスする無線通信システムの図である。
【図６】
トランスコーダおよび速度アダプタ装置が複数のインテリジェント基地局に接続される無線ローカル・ループ通信システムの図である。
【図７】
複数の基地局に接続された基地局制御機を使用する無線ローカル・ループ通信システムの図である。
【図８Ａ】
図５に示される通信システムのような移動利用者局をサポートする無線通信システム内でのハンドオフを示す図である。
【図８Ｂ】
図５に示される通信システムのような移動利用者局をサポートする無線通信システム内でのハンドオフを示す図である。
【図８Ｃ】
図５に示される通信システムのような移動利用者局をサポートする無線通信システム内でのハンドオフを示す図である。
【図９】
無線ローカル・ループ・システムに関連して用いられるものとして、多重アクセス通信をサポートする実際のエアー・フレーム構造用のタイミング図である。
【図１０】
無線ローカル・ループ・システムに関連して用いられるものとして、多重アクセス通信をサポートする他のエアー・フレーム構造用のタイミング図である。
【図１１】
ＧＳＭ移動システム用のプロトコル構造の図である。
【図１２】
ＧＳＭおよび非ＧＳＭ要素の結合を用いる移動システムのためのプロトコル構造の図である。
【図１】
2004503953.tif 000003
【図２】
2004503953.tif 000004
【図３】
2004503953.tif 000005
【図３Ａ】
2004503953.tif 000006
【図４】
2004503953.tif 000007
【図５】
2004503953.tif 000008
【図６】
2004503953.tif 000009
【図７】
2004503953.tif 000010
【図８Ａ】
2004503953.tif 000011
【図８Ｂ】
2004503953.tif 000012
【図８Ｃ】
2004503953.tif 000013
【図９】
2004503953.tif 000014
【図１０】
2004503953.tif 000015
【図１１】
2004503953.tif 000016
【図１２】
2004503953.tif 000017
【国際公開パンフレット】
2004503953.tif 000018
2004503953.tif 000019
2004503953.tif 000020
2004503953.tif 000021
2004503953.tif 000022
2004503953.tif 000023
2004503953.tif 000024
2004503953.tif 000025
2004503953.tif 000026
2004503953.tif 000027
2004503953.tif 000028
2004503953.tif 000029
2004503953.tif 000030
2004503953.tif 000031
2004503953.tif 000032
2004503953.tif 000033
2004503953.tif 000034
2004503953.tif 000035
2004503953.tif 000036
2004503953.tif 000037
2004503953.tif 000038
2004503953.tif 000039
2004503953.tif 000040
2004503953.tif 000041
2004503953.tif 000042
2004503953.tif 000043
2004503953.tif 000044
2004503953.tif 000045
2004503953.tif 000046
2004503953.tif 000047
2004503953.tif 000048
2004503953.tif 000049
2004503953.tif 000050
2004503953.tif 000051
2004503953.tif 000052
2004503953.tif 000053
2004503953.tif 000054
2004503953.tif 000055
2004503953.tif 000056
2004503953.tif 000057
2004503953.tif 000058
2004503953.tif 000059
2004503953.tif 000060
2004503953.tif 000061
2004503953.tif 000062
2004503953.tif 000063
2004503953.tif 000064
2004503953.tif 000065
2004503953.tif 000066
2004503953.tif 000067
2004503953.tif 000068
2004503953.tif 000069
2004503953.tif 000070
2004503953.tif 000071
2004503953.tif 000072
2004503953.tif 000073
2004503953.tif 000074
2004503953.tif 000075
2004503953.tif 000076
【国際公開パンフレット（コレクトバージョン）】
2004503953.tif 000077
2004503953.tif 000078
2004503953.tif 000079
2004503953.tif 000080
2004503953.tif 000081
2004503953.tif 000082
2004503953.tif 000083
2004503953.tif 000084
2004503953.tif 000085
2004503953.tif 000086
2004503953.tif 000087
2004503953.tif 000088
2004503953.tif 000089
2004503953.tif 000090
2004503953.tif 000091
2004503953.tif 000092
2004503953.tif 000093
2004503953.tif 000094
2004503953.tif 000095
2004503953.tif 000096
2004503953.tif 000097
2004503953.tif 000098
2004503953.tif 000099
2004503953.tif 000100
2004503953.tif 000101
2004503953.tif 000102
2004503953.tif 000103
2004503953.tif 000104
2004503953.tif 000105
2004503953.tif 000106
2004503953.tif 000107
2004503953.tif 000108
2004503953.tif 000109
2004503953.tif 000110
2004503953.tif 000111
2004503953.tif 000112
2004503953.tif 000113
2004503953.tif 000114
2004503953.tif 000115
2004503953.tif 000116
2004503953.tif 000117
2004503953.tif 000118
2004503953.tif 000119
2004503953.tif 000120
2004503953.tif 000121
2004503953.tif 000122
2004503953.tif 000123
2004503953.tif 000124
2004503953.tif 000125
2004503953.tif 000126
2004503953.tif 000127
2004503953.tif 000128
2004503953.tif 000129
2004503953.tif 000130
【手続補正書】
【提出日】平成14年2月13日(2002.2.13)
【手続補正１】
【補正対象書類名】明細書
【補正対象項目名】特許請求の範囲
【補正方法】変更
【補正の内容】
【特許請求の範囲】
【請求項１】
通信システムにおいて、
第１送信機および第１受信機を有する無線装置と、
第２送信機および第２受信機、オーバジエア・プロセッサ、ライン・プロセッサおよび内部信号化プロトコル層を含むインテリジェント基地局であって、前記オーバジエア・プロセッサは前記インテリジェント基地局と前記無線装置との間の通信を無線通信チャネルを介して管理し、前記ライン・プロセッサは基地局サブシステム管理適用部（ＢＳＳＭＡＰ）、信号化接続制御部（ＳＣＣＰ）、およびメッセージ転送部（ＭＴＰ）を含み、前記内部信号化プロトコル層は前記オーバジエア・プロセッサと前記ライン・プロセッサとの間の信号化情報の通信を許容する、インテリジェント基地局と、
前記無線装置に接続された非無線装置であって、前記非無線装置は前記無線装置を用いて前記基地局と情報を交換する、非無線装置と、
インターフェイスを介して前記インテリジェント基地局前記に結合された移動交換センタと、
から構成されることを特徴とする通信システム。
【請求項２】
前記インテリジェント基地局と前記移動交換センタとの間に介在するトランスコーディングおよび速度アダプタ装置をさらに含むことを特徴とする請求項１記載の通信システム。
【請求項３】
前記非無線装置および前記無線装置は、ＲＪ−１１インターフェイスを介して通信を行うことを特徴とする請求項１記載の通信システム。
【請求項４】
前記無線装置は、ＲＪ−１１インターフェイスおよびデータ・インターフェイスを含み、前記データ・インターフェイスはデジタル・データを送信しおよび受信することを特徴とする請求項１記載の通信システム。
【請求項５】
前記第１送信機および前記第２送信機は各々スペクトラム拡散送信機を含み、前記第１受信機および前記第２受信機は各々スペクトラム拡散受信機を含むことを特徴とする請求項１記載の通信システム。
【請求項６】
前記インテリジェント基地局は複数の時間スロットからなる繰り返し時間フレームを生成し、ここに前記無線通信チャネルは少なくとも１つの前記時間スロットによって定義されることを特徴とする請求項５記載の通信システム。
【請求項７】
前記インテリジェント基地局および前記移動交換センタを接続する前記インターフェイスは、ＧＳＭ　Ａ−インターフェイスを含むことを特徴とする請求項１記載の通信システム。
【請求項８】
前記インテリジェント基地局は、非ＧＳＭオーバジエア・プロトコルを用いて、前記無線装置と前記無線通信チャネルを介して通信を行うことを特徴とする請求項１記載の通信システム。
【請求項９】
前記移動交換センタおよび前記無線装置は、ＧＳＭ接続管理に対しピアツーピア終端であり、ここに前記移動交換センタは前記インテリジェント基地局とＧＳＭ信号化インターフェイスを介して通信を行うことを特徴とする請求項１記載の通信システム。
【請求項１０】
前記移動交換センタと前記インテリジェント基地局との間の前記ＧＳＭ信号化インターフェイスは、ＧＳＭ基地局サブシステム移動適用部（ＢＳＳＭＡＰ）およびＧＳＭ移動転送部（ＭＴＰ）をさらに含むことを特徴とする請求項９記載の通信システム。
【請求項１１】
第２インテリジェント基地局をさらに含み、前記第２インテリジェント基地局は前記移動交換センタに第２インターフェイスを介して結合されることを特徴とする請求項１記載の通信システム。
【請求項１２】
前記第１インテリジェント基地局または前記第２インテリジェント基地局と第２無線通信チャネルを介して通信を行う少なくとも１つの移動利用者局をさらに含み、ここに
前記第１インテリジェント基地局および前記第２インテリジェント基地局は、物理的なリンクを介して接続され、
前記第１インテリジェント基地局および前記移動交換センタを接続する前記インターフェイスは、前記少なくとも１つの移動利用者局からの呼をサポートするために第１信号化チャネルおよび第１ベアラ・チャネルを含み、
前記第１インテリジェント基地局は、前記第１インテリジェント基地局および前記第２インテリジェント基地局を接続する前記物理的なリンクを介して、前記第１インテリジェント基地局と前記第２インテリジェント基地局との間の第２信号化チャネルおよび第２ベアラ・チャネルを確立し、前記第１インテリジェント基地局から前記第２インテリジェント基地局への前記呼のハンドオーバ時に、前記少なくとも１つの移動利用者局と前記第２インテリジェント基地局との間に確立された第３無線通信チャネルをサポートする、
ことを特徴とする請求項１１記載の通信システム。
【請求項１３】
前記第１インテリジェント基地局または前記第２インテリジェント基地局と第２無線通信チャネルを介して通信を行う少なくとも１つの移動利用者局をさらに含み、ここに
前記第１インテリジェント基地局および前記移動交換センタを接続する前記インターフェイスは、前記少なくとも１つの移動利用者局からの呼をサポートするために第１信号化チャネルおよび第１ベアラ・チャネルを含み、
第２信号化チャネルおよび第２ベアラ・チャネルが前記第２インテリジェント基地局と前記移動交換センタとの間に確立され、前記第１インテリジェント基地局から前記第２インテリジェント基地局への前記呼のハンドオーバ時に、前記少なくとも１つの移動利用者局と前記第２インテリジェント基地局との間に確立された第３無線通信チャネルをサポートし、前記第１信号化チャネルおよび前記第１ベアラ・チャネルは前記第２インテリジェント基地局へ前記呼を転送した後に切断される、
ことを特徴とする請求項１１記載の通信システム。
【請求項１４】
前記非無線装置は、電話を含むことを特徴とする請求項１記載の通信システム。
【請求項１５】
ローカル・ループ内で無線通信を行う方法において、
複数の無線装置とインテリジェント基地局との間で複数の無線通信チャネルを確立する段階からなり、前記インテリジェント基地局は、
前記インテリジェント基地局と前記複数の無線装置との間の通信を管理するオーバジエア・プロセッサ、
基地局サブシステム管理適用部（ＢＳＳＭＡＰ）、信号化接続制御部（ＳＣＣＰ）、およびメッセージ転送部（ＭＴＰ）からなるライン・プロセッサ、および
前記オーバジエア・プロセッサと前記ライン・プロセッサとの間の信号化情報の通信を許容する内部信号化プロトコル層、を含み、
複数の非無線装置を前記無線装置に接続する段階であって、少なくとも１つの非無線装置は各無線装置に接続される、段階と、
前記非無線装置と前記インテリジェント基地局との間で、その対応する無線装置を中継として用いて、情報を交換する段階と、
前記インテリジェント基地局をＧＳＭ移動交換センタへ接続する段階と、
から構成されることを特徴とする方法。
【請求項１６】
前記インテリジェント基地局を前記ＧＳＭ移動交換センタへ接続する前記段階は、前記インテリジェント基地局をトランスコーディングおよび速度アダプタ装置へ接続し、前記トランスコーディングおよび速度アダプタ装置を前記ＧＳＭ移動交換センタへ接続する段階を含むことを特徴とする請求項１５記載の方法。
【請求項１７】
前記複数の非無線装置を前記無線装置に接続する前記段階は、ＲＪ−１１インターフェイスを介して前記少なくとも１つの非無線装置を無線装置に接続する段階を含むことを特徴とする請求項１５記載の方法。
【請求項１８】
前記インテリジェント基地局と前記無線装置の各々との間での送信のために、スペクトラム拡散符号化データによって前記インテリジェント基地局と前記無線装置との間で通信する段階であって、スペクトラム拡散は前記インテリジェント基地局または前記無線装置で受信したとき前記データを復号化する、段階をさらに含むことを特徴とする請求項１５記載の方法。
【請求項１９】
前記インテリジェント基地局で、複数の時間スロットからなる繰り返し時間フレームを生成する段階をさらに含み、前記無線通信チャネの各々は少なくとも１つの前記時間スロットによって定義されることを特徴とする請求項１８記載の方法。
【請求項２０】
前記インテリジェント基地局を前記ＧＳＭ移動交換センタに接続する前記段階は、前記インテリジェント基地局を前記ＧＳＭ移動交換センタにＧＳＭ　Ａ−インターフェイスを介して接続する段階を含むことを特徴とする請求項１５記載の方法。
【請求項２１】
前記移動交換センタおよび前記無線装置は、ＧＳＭ接続管理に対しピアツーピア終端であり、ここに前記インテリジェント基地局をＧＳＭ移動交換センタに接続する前記段階は、前記移動交換センタと前記インテリジェント基地局との間でＧＳＭ信号化インターフェイスを介して通信を行う段階を含むことを特徴とする請求項１５記載の通信システム。
【請求項２２】
前記無線装置と前記インテリジェント基地局との間で通信を行う前記段階は、前記インテリジェント基地局と各無線装置との間で非ＧＳＭオーバジエア・プロトコルを用いて通信を行う段階を含むことを特徴とする請求項２１記載の方法。
【請求項２３】
移動利用者局と前記インテリジェント基地局との間に第１無線通信チャネルを確立する段階と、
前記インテリジェント基地局と前記ＧＳＭ移動交換センタとの間に第１信号化チャネルおよび第１ベアラ・チャネルを確立する段階と、
前記移動利用者局と前記目標インテリジェント基地局との間に第２無線通信チャネルを確立する段階と、
前記インテリジェント基地局と前記目標インテリジェント基地局との間に第２信号化チャネルおよび第２ベアラ・チャネルを確立する段階と、
前記第１無線通信チャネルを終了する段階と、
をさらに含むことを特徴とする請求項１５記載の方法。
【請求項２４】
移動利用者局と前記インテリジェント基地局との間に第１無線通信チャネルを確立する段階と、
前記呼をサポートするために、前記インテリジェント基地局と前記ＧＳＭ移動交換センタとの間に第１信号化チャネルおよび第１ベアラ・チャネルを確立する段階と、
前記移動利用者局と目標インテリジェント基地局との間に第２無線通信チャネルを確立する段階と、
前記目標インテリジェント基地局と前記ＧＳＭ移動交換センタとの間に第２信号化チャネルおよび第２ベアラ・チャネルを確立する段階と、
前記第１無線通信チャネルを終了する段階と、
をさらに含むことを特徴とする請求項１５記載の方法。
【請求項２５】
通信システムであって、
複数の無線装置であって、前記無線装置の各々はローカル送信機およびローカル受信機を含む、複数の無線装置と、
複数の無線通信チャネルを用いて、前記複数の無線装置と通信を行うことのできるインテリジェント基地局であって、
基地局送信機、
基地局受信機、
前記インテリジェント基地局と前記複数の無線装置との間の通信を管理するオーバジエア・プロセッサ、
基地局サブシステム管理適用部（ＢＳＳＭＡＰ），信号化接続制御部（ＳＣＣＰ），およびメッセージ転送部（ＭＴＰ）からなるライン・プロセッサ、および
前記オーバジエア・プロセッサと前記ライン・プロセッサとの間の信号化情報の通信を許容する内部信号化プロトコル層、からなるインテリジェント基地局と、
複数の非無線装置であって、前記非無線装置の各々は前記無線装置の１つに接続され、前記インテリジェント基地局とその対応する接続されるべき無線装置を用いて情報を交換する、複数の非無線装置と、
前記インテリジェント基地局にインターフェイスを介して接続される移動交換センタと、
から構成されることを特徴とする通信システム。
【請求項２６】
前記インテリジェント基地局と前記移動交換センタとの間に介在するトランスコーディングおよび速度アダプタ装置をさらに含むことを特徴とする請求項２５記載の通信システム。
【請求項２７】
少なくとも前記非無線装置の１つおよび前記無線装置の１つは、ＲＪ−１１インターフェイスを介して通信を行うことを特徴とする請求項２５記載の通信システム。
【請求項２８】
前記インテリジェント基地局の送信機および前記無線装置の前記ローカル送信機の各々は、各々スペクトラム拡散送信機を含み、前記インテリジェント基地局の受信機および前記無線装置の前記ローカル受信機の各々は、各々スペクトラム拡散受信機を含むことを特徴とする請求項２５記載の通信システム。
【請求項２９】
前記インテリジェント基地局は、複数の時間スロットからなる繰り返し時間フレームを生成し、ここに前記無線通信チャネルはそれぞれ１つまたはそれ以上の前記時間スロットによって定義されることを特徴とする請求項２８記載の通信システム。
【請求項３０】
前記インテリジェント基地局および前記移動交換センタを接続する前記インターフェイスはＧＳＭ　Ａ−インターフェイスを含むことを特徴とする請求項２５記載の通信システム。
【請求項３１】
前記インテリジェント基地局は、非ＧＳＭオーバジエア・プロトコルを用いて、前記無線装置と前記無線通信チャネルを介して通信を行うことを特徴とする請求項２５記載の通信システム。
【請求項３２】
前記移動交換センタおよび前記無線装置は、ＧＳＭ接続管理に対しピアツーピア終端であり、ここに前記移動交換センタは前記インテリジェント基地局とＧＳＭ信号化インターフェイスを介して通信を行うことを特徴とする請求項２５記載の通信システム。
【請求項３３】
前記移動交換センタと前記インテリジェント基地局との間の前記ＧＳＭ信号化インターフェイスは、ＧＳＭ基地局サブシステム移動適用部（ＢＳＳＭＡＰ）およびＧＳＭ移動転送部（ＭＴＰ）をさらに含むことを特徴とする請求項３２記載の通信システム。
【請求項３４】
１またはそれ以上の前記非無線装置は、電話を含むことを特徴とする請求項２５記載の通信システム。
【請求項３５】
第２インテリジェント基地局をさらに含み、前記第２インテリジェント基地局は前記移動交換センタに第２インターフェイスを介して接続されることを特徴とする請求項２５記載の通信システム。
【請求項３６】
前記第１インテリジェント基地局と前記無線通信チャネルの１つを介して通信を行うことのできる少なくとも１つの移動利用者局をさらに含み、ここに
前記第１インテリジェント基地局および前記第２インテリジェント基地局は、物理的なリンクを介して接続され、
前記第１インテリジェント基地局および前記移動交換センタを接続する前記インターフェイスは、前記少なくとも１つの移動利用者局からの呼をサポートするために第１信号化チャネルおよび第１ベアラ・チャネルを含み、
前記第１インテリジェント基地局は、前記第１インテリジェント基地局および前記第２インテリジェント基地局を接続する前記物理的なリンクを介して、前記第１インテリジェント基地局と前記第２インテリジェント基地局との間の第２信号化チャネルおよび第２ベアラ・チャネルを確立し、前記第１インテリジェント基地局から前記第２インテリジェント基地局への前記呼のハンドオーバ時に、前記少なくとも１つの移動利用者局と前記第２インテリジェント基地局との間に確立された新しい無線通信チャネルをサポートする、
ことを特徴とする請求項３５記載の通信システム。
【請求項３７】
前記第１インテリジェント基地局と前記無線通信チャネルの１つを介して通信を行うことのできる少なくとも１つの移動利用者局をさらに含み、ここに
前記第１インテリジェント基地局および前記移動交換センタを接続する前記インターフェイスは、前記少なくとも１つの移動利用者局からの呼をサポートするために第１信号化チャネルおよび第１ベアラ・チャネルを含み、
第２信号化チャネルおよび第２ベアラ・チャネルが前記第２インテリジェント基地局と前記移動交換センタとの間に確立され、前記第１インテリジェント基地局から前記第２インテリジェント基地局への前記呼のハンドオーバ時に、前記少なくとも１つの移動利用者局と前記第２インテリジェント基地局との間に確立された新しい無線通信チャネルをサポートし、前記第１信号化チャネルおよび前記第１ベアラ・チャネルは前記第２インテリジェント基地局へ前記呼を転送した後に切断される、
ことを特徴とする請求項３５記載の通信システム。
【国際調査報告】
2004503953.tif 000131
2004503953.tif 000132